(57)【要約】本願は、負荷再配置方法、装置、およびシステムを開示する。方法は、通信ネットワークエンティティによって、負荷再配置のためのターゲットアクセス管理エンティティを決定すること、および元のアクセス管理エンティティの識別子およびターゲットアクセス管理エンティティの識別子またはアクセスネットワークエンティティに関連するターゲットアクセス管理エンティティのアドレスをアクセスネットワークエンティティに送ることを含み、その結果、アクセスネットワークエンティティは、ＵＥからのメッセージ内で搬送される元のアクセス管理エンティティの識別子に基づいて、ＵＥからのメッセージをターゲットアクセス管理エンティティに送る。上記の解決策では、負荷再配置処理でのシグナリングオーバヘッドが削減され、負荷再配置効率が改善される。
2020504541.tif 000002
【特許請求の範囲】
【請求項１】
元のアクセス管理エンティティによってサービスされる一部のまたはすべてのＵＥがターゲットアクセス管理エンティティに移動されるシナリオに適用される負荷再配置方法であって、
通信ネットワークエンティティによって前記ターゲットアクセス管理エンティティを決定するステップと、
前記通信ネットワークエンティティによって、前記元のアクセス管理エンティティの識別子およびアクセスネットワークエンティティに関連する前記ターゲットアクセス管理エンティティのアドレス、または前記元のアクセス管理エンティティの識別子および前記ターゲットアクセス管理エンティティの識別子を前記アクセスネットワークエンティティに送り、前記アクセスネットワークエンティティは、前記ＵＥからのメッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記ＵＥからの前記メッセージを前記ターゲットアクセス管理エンティティに送るステップと
を含む方法。
【請求項２】
前記通信ネットワークエンティティによって、ターゲットアクセス管理エンティティに前記元のアクセス管理エンティティの前記識別子を送り、前記元のアクセス管理エンティティによってサービスされる前記一部のまたはすべてのＵＥが前記ターゲットアクセス管理エンティティに移動された後、前記ターゲットアクセス管理エンティティは、前記元のアクセス管理エンティティの前記識別子を、前記ＵＥにサービスするための前記ターゲットアクセス管理エンティティの識別子として選択するステップ
をさらに含む請求項１に記載の方法。
【請求項３】
前記通信ネットワークエンティティは前記元のアクセス管理エンティティであり、前記方法は、
前記元のアクセス管理エンティティによって、前記ＵＥのコンテキストを前記ターゲットアクセス管理エンティティまたはデータ記憶機能エンティティに送り、前記ターゲットアクセス管理エンティティは、前記データ記憶機能エンティティから受信され、または取得される前記ＵＥの前記コンテキストに基づいて前記ＵＥにサービスするステップ
をさらに含む請求項１または２に記載の方法。
【請求項４】
前記通信ネットワークエンティティは前記元のアクセス管理エンティティであり、前記方法は、
前記元のアクセス管理エンティティによって、前記元のアクセス管理エンティティの前記識別子およびセッション管理エンティティに関連する前記ターゲットアクセス管理エンティティのアドレス、または前記元のアクセス管理エンティティの前記識別子および前記ターゲットアクセス管理エンティティの識別子を、前記ＵＥに現在サービスしている前記セッション管理エンティティに送り、前記セッション管理エンティティは、前記元のアクセス管理エンティティの前記識別子に基づいて、前記ＵＥに宛てられたメッセージを前記ターゲットアクセス管理エンティティに送るステップ
をさらに含む請求項１乃至３のいずれか一項に記載の方法。
【請求項５】
前記通信ネットワークエンティティは運用および保守エンティティであり、前記方法は、
前記運用および保守エンティティによって、前記元のアクセス管理エンティティの前記識別子および前記元のアクセス管理エンティティに関連する前記ターゲットアクセス管理エンティティのアドレス、または前記元のアクセス管理エンティティの前記識別子および前記ターゲットアクセス管理エンティティの前記識別子を前記元のアクセス管理エンティティに送るステップであって、前記元のアクセス管理エンティティの前記識別子が、前記元のアクセス管理エンティティが前記移動されるべきＵＥを決定するのを助けるために使用され、前記元のアクセス管理エンティティに関連する前記ターゲットアクセス管理エンティティの前記アドレス、または前記ターゲットアクセス管理エンティティの前記識別子が、前記元のアクセス管理エンティティが前記ターゲットアクセス管理エンティティに前記移動されるべきＵＥのコンテキストを送るのを助けるために使用されるステップ
をさらに含む請求項１または２に記載の方法。
【請求項６】
元のアクセス管理エンティティによってサービスされる一部のまたはすべてのＵＥがターゲットアクセス管理エンティティに移動されるシナリオに適用される負荷再配置方法であって、
アクセスネットワークエンティティによって、通信ネットワークエンティティによって送られる前記元のアクセス管理エンティティの識別子および前記アクセスネットワークエンティティに関連する前記ターゲットアクセス管理エンティティのアドレス、または通信ネットワークエンティティによって送られる前記元のアクセス管理エンティティの識別子および前記ターゲットアクセス管理エンティティの識別子を受信するステップと、
前記アクセスネットワークエンティティによって、前記ＵＥからメッセージを受信し、前記メッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記メッセージを前記ターゲットアクセス管理エンティティに送るステップと
を含む方法。
【請求項７】
前記アクセスネットワークエンティティによって、前記元のアクセス管理エンティティの前記受信された識別子に基づいて、前記ＵＥの更新されるべきコンテキストを決定するステップであって、前記ＵＥの前記更新されるべきコンテキスト内に含まれる前記ＵＥに現在サービスしているアクセス管理エンティティの識別子が、前記元のアクセス管理エンティティの前記識別子と同じであるステップと、
前記アクセスネットワークエンティティによって、前記アクセスネットワークエンティティに関連する、前記ＵＥにサービスする前記アクセス管理エンティティの、前記ＵＥの前記更新されるべきコンテキスト内に含まれるアドレスを無効値に設定するステップと
をさらに含む請求項６に記載の方法。
【請求項８】
前記アクセスネットワークエンティティによって、前記ＵＥからメッセージを受信し、前記アクセスネットワークエンティティ内に記憶される前記ＵＥに現在サービスしている前記元のアクセス管理エンティティの前記識別子に基づいて、前記ターゲットアクセス管理エンティティに前記メッセージを送る前記ステップは、特に、
前記アクセスネットワークエンティティによって前記ＵＥからの前記メッセージを受信するステップと、
前記アクセスネットワークエンティティによって、前記アクセスネットワークエンティティに関連する、前記ＵＥにサービスするアクセス管理エンティティの、前記ＵＥのコンテキスト内に含まれるアドレスが無効値であると判定するステップと、
前記アクセスネットワークエンティティによって、前記ＵＥの前記コンテキストから前記元のアクセス管理エンティティの前記識別子を取得し、前記元のアクセス管理エンティティの前記識別子に基づいて、前記アクセスネットワークエンティティに関連する前記ターゲットアクセス管理エンティティの前記アドレス、または前記ターゲットアクセス管理エンティティの前記識別子を決定するステップと、
前記アクセスネットワークエンティティによって、前記アクセスネットワークエンティティに関連する前記ターゲットアクセス管理エンティティの前記アドレスに前記メッセージを送り、または前記アクセスネットワークエンティティによって、前記ターゲットアクセス管理エンティティの前記識別子に基づいて、前記アクセスネットワークエンティティに関連する前記ターゲットアクセス管理エンティティの前記アドレスを決定し、前記アクセスネットワークエンティティに関連する前記ターゲットアクセス管理エンティティの前記アドレスに前記メッセージを送るステップと
を含む請求項７に記載の方法。
【請求項９】
前記アクセスネットワークエンティティによって、前記ＵＥからメッセージを受信し、前記メッセージ内で搬送される前記元のアクセス管理エンティティの前記識別子に基づいて、前記ターゲットアクセス管理エンティティに前記メッセージを送る前記ステップは特に、
前記アクセスネットワークエンティティによって、前記ＵＥからの前記メッセージを受信するステップと、
前記アクセスネットワークエンティティによって、前記メッセージから前記元のアクセス管理エンティティの前記識別子を取得し、前記元のアクセス管理エンティティの前記識別子に基づいて、前記アクセスネットワークエンティティに関連する前記ターゲットアクセス管理エンティティの前記アドレス、または前記ターゲットアクセス管理エンティティの前記識別子を決定するステップと、
前記アクセスネットワークエンティティによって、前記アクセスネットワークエンティティに関連する前記前記ターゲットアクセス管理エンティティの前記アドレスに前記メッセージを送り、または前記アクセスネットワークエンティティによって、前記ターゲットアクセス管理エンティティの前記識別子に基づいて、前記アクセスネットワークエンティティに関連する前記ターゲットアクセス管理エンティティの前記アドレスを決定し、前記アクセスネットワークエンティティに関連する前記ターゲットアクセス管理エンティティの前記アドレスに前記メッセージを送るステップと
を含む請求項６に記載の方法。
【請求項１０】
前記通信ネットワークエンティティは前記元のアクセス管理エンティティまたは運用および保守エンティティである請求項６乃至９のいずれか一項に記載の方法。
【請求項１１】
元のアクセス管理エンティティによってサービスされる一部のまたはすべてのＵＥがターゲットアクセス管理エンティティに移動されるシナリオに適用される、負荷再配置のための通信ネットワークエンティティであって、
アクセスネットワークエンティティおよび前記ターゲットアクセス管理エンティティと通信するように構成された通信モジュールと、
負荷再配置のためのターゲットアクセス管理エンティティを決定し、前記通信モジュールを使用することによって、前記元のアクセス管理エンティティの識別子および前記アクセスネットワークエンティティに関連する前記ターゲットアクセス管理エンティティのアドレス、または前記元のアクセス管理エンティティの識別子および前記ターゲットアクセス管理エンティティの識別子を前記アクセスネットワークエンティティに送るように構成された決定モジュールであって、前記アクセスネットワークエンティティは、前記ＵＥからのメッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記ＵＥからの前記メッセージを前記ターゲットアクセス管理エンティティに送る決定モジュールと
を備える通信ネットワークエンティティ。
【請求項１２】
前記通信モジュールは、前記ターゲットアクセス管理エンティティに前記元のアクセス管理エンティティの前記識別子を送るようにさらに構成され、前記元のアクセス管理エンティティによってサービスされる前記一部のまたはすべてのＵＥが前記ターゲットアクセス管理エンティティに移動された後、前記ターゲットアクセス管理エンティティは、前記元のアクセス管理エンティティの前記識別子を、前記ＵＥにサービスするための前記ターゲットアクセス管理エンティティの識別子として選択する請求項１１に記載の通信ネットワークエンティティ。
【請求項１３】
前記通信ネットワークエンティティは前記元のアクセス管理エンティティであり、前記決定モジュールは、前記ＵＥのコンテキストを決定し、前記通信モジュールを使用することによって前記ターゲットアクセス管理エンティティに前記ＵＥの前記コンテキストを送るようにさらに構成され、前記ターゲットアクセス管理エンティティは、データ記憶機能エンティティから受信され、または取得される前記ＵＥの前記コンテキストに基づいて前記ＵＥにサービスする請求項１１または１２に記載の通信ネットワークエンティティ。
【請求項１４】
前記通信ネットワークエンティティは前記元のアクセス管理エンティティであり、
前記通信モジュールは、データ記憶機能エンティティと通信するようにさらに構成され、
前記決定モジュールは、前記ＵＥのコンテキストを決定し、前記通信モジュールを使用することによって前記データ記憶機能エンティティに前記ＵＥの前記コンテキストを送るようにさらに構成され、前記ターゲットアクセス管理エンティティは、前記データ記憶機能エンティティから取得される前記ＵＥの前記コンテキストに基づいて前記ＵＥにサービスする請求項１１または１２に記載の通信ネットワークエンティティ。
【請求項１５】
前記通信ネットワークエンティティは前記元のアクセス管理エンティティであり、
前記通信モジュールは、前記ＵＥに現在サービスしているセッション管理エンティティと通信するようにさらに構成され、
前記決定モジュールは、前記通信モジュールを使用することによって、前記元のアクセス管理エンティティの前記識別子および前記ターゲットアクセス管理エンティティの前記識別子を前記セッション管理エンティティに送るようにさらに構成され、または前記セッション管理エンティティに関連する前記ターゲットアクセス管理エンティティのアドレスを決定し、前記通信モジュールを使用することによって、前記元のアクセス管理エンティティの前記識別子および前記セッション管理エンティティに関連する前記ターゲットアクセス管理エンティティの前記アドレスを前記セッション管理エンティティに送るようにさらに構成される請求項１１乃至１４のいずれか一項に記載の通信ネットワークエンティティ。
【請求項１６】
前記通信ネットワークエンティティは運用および保守エンティティであり、
前記通信モジュールは、前記元のアクセス管理エンティティと通信するようにさらに構成され、
前記決定モジュールは、前記元のアクセス管理エンティティおよび負荷再配置のための前記ターゲットアクセス管理エンティティを決定し、前記通信モジュールを使用することによって、前記元のアクセス管理エンティティの前記識別子および前記元のアクセス管理エンティティに関連する前記ターゲットアクセス管理エンティティの前記アドレスを前記元のアクセス管理エンティティに送り、または前記元のアクセス管理エンティティの前記識別子および前記ターゲットアクセス管理エンティティの前記識別子を前記元のアクセス管理エンティティに送るようにさらに構成され、前記元のアクセス管理エンティティの前記識別子が、前記元のアクセス管理エンティティが前記移動されるべきＵＥを決定するのを助けるために使用され、前記元のアクセス管理エンティティに関連する前記ターゲットアクセス管理エンティティの前記アドレス、または前記ターゲットアクセス管理エンティティの前記識別子が、前記元のアクセス管理エンティティが前記ターゲットアクセス管理エンティティに前記移動されるべきＵＥのコンテキストを送るのを助けるために使用される請求項１１または１２に記載の通信ネットワークエンティティ。
【請求項１７】
元のアクセス管理エンティティによってサービスされる一部のまたはすべてのＵＥがターゲットアクセス管理エンティティに移動されるシナリオに適用される、負荷再配置のためのアクセスネットワークエンティティであって、
通信ネットワークエンティティによって送られる前記元のアクセス管理エンティティの識別子および前記アクセスネットワークエンティティに関連する前記ターゲットアクセス管理エンティティのアドレスを受信し、または通信ネットワークエンティティによって送られる前記元のアクセス管理エンティティの識別子および前記ターゲットアクセス管理エンティティの識別子を受信するように構成され、前記ＵＥからのメッセージを前記ターゲットアクセス管理エンティティに送るようにさらに構成された通信モジュールと、
前記ＵＥからの前記メッセージを受信するように構成された受信機と、
前記通信モジュールによって受信される前記元のアクセス管理エンティティの前記識別子および前記アクセスネットワークエンティティに関連する前記ターゲットアクセス管理エンティティの前記アドレスを記憶し、または前記通信モジュールによって受信される前記元のアクセス管理エンティティの前記識別子および前記ターゲットアクセス管理エンティティの前記識別子を記憶するように構成され、前記アクセスネットワークエンティティに現在接続されているＵＥのコンテキストを記憶するようにさらに構成されたメモリと、
前記通信モジュールによって受信される前記元のアクセス管理エンティティの前記識別子および前記アクセスネットワークエンティティに関連する前記ターゲットアクセス管理エンティティの前記アドレス、または前記通信モジュールによって受信される前記元のアクセス管理エンティティの前記識別子および前記ターゲットアクセス管理エンティティの前記識別子を前記メモリ内に記憶するように構成され、前記受信機によって受信された、前記ＵＥの前記メッセージ内で搬送される前記元のアクセス管理エンティティの前記識別子に基づいて、または前記メモリ内に記憶された前記ＵＥのコンテキスト内に含まれるアクセス管理エンティティの識別子に基づいて、前記アクセスネットワークエンティティに関連する前記ターゲットアクセス管理エンティティの前記アドレスまたは前記ターゲットアクセス管理エンティティの前記識別子を決定し、前記通信モジュールを使用することによって、前記受信機によって受信される前記ＵＥからの前記メッセージを前記ターゲットアクセス管理エンティティに送るようにさらに構成された少なくとも１つのプロセッサと
を備えるアクセスネットワークエンティティ。
【請求項１８】
前記プロセッサが、前記通信モジュールによって受信された前記元のアクセス管理エンティティの前記識別子に基づいて、前記メモリ内に記憶された前記ＵＥの更新されるべきコンテキストを決定するようにさらに構成され、前記ＵＥの前記更新されるべきコンテキスト内に含まれる前記ＵＥに現在サービスしている前記アクセス管理エンティティの前記識別子は、前記元のアクセス管理エンティティの前記識別子と同じであり、前記プロセッサは、前記アクセスネットワークエンティティに関連する、前記ＵＥにサービスする前記アクセス管理エンティティの、前記ＵＥの前記更新されるべきコンテキスト内に含まれるアドレスを無効値に設定する請求項１７に記載のアクセスネットワークエンティティ。
【請求項１９】
命令を含むコンピュータ可読記憶媒体であって、コンピュータ上で実行するとき、前記コンピュータは請求項１乃至５のいずれか一項に記載の方法を実施するコンピュータ可読記憶媒体。
【請求項２０】
命令を含むコンピュータ可読記憶媒体であって、コンピュータ上で実行するとき、前記コンピュータは請求項６乃至１０のいずれか一項に記載の方法を実施するコンピュータ可読記憶媒体。
【請求項２１】
請求項１１乃至１６のいずれか一項に記載の通信ネットワークエンティティと、請求項１７または１８に記載のアクセスネットワークエンティティとを備える負荷再配置システム。
【発明の詳細な説明】
【技術分野】
【０００１】
本願は、通信技術の分野に関し、詳細には、通信ネットワーク内の負荷再配置のための方法、装置、およびシステムに関する。
【背景技術】
【０００２】
本願は、その全体が参照により本明細書に組み込まれる、２０１７年４月２５日に出願された「ＬＯＡＤ  ＲＥＬＯＣＡＴＩＯＮ  ＭＥＴＨＯＤ，  ＡＰＰＡＲＡＴＵＳ，  ＡＮＤ  ＳＹＳＴＥＭ」という名称の中国出願第２０１７１０２７９１４７．２号、および２０１７年１０月１２日に出願された「ＬＯＡＤ  ＲＥＬＯＣＡＴＩＯＮ  ＭＥＴＨＯＤ，  ＡＰＰＡＲＡＴＵＳ，  ＡＮＤ  ＳＹＳＴＥＭ」という名称の中国出願第２０１７１０９４９２７６．８号の優先権を主張する。
【０００３】
４Ｇ（４ｔｈ  ｇｅｎｅｒａｔｉｏｎ、第４世代）通信ネットワークでは、ＵＥ（Ｕｓｅｒ  ｅｑｕｉｐｍｅｎｔ、ユーザ機器）が通信ネットワークに登録し、通信ネットワークは、ＵＥのモビリティ管理の任を担うＭＭＥ（Ｍｏｂｉｌｉｔｙ  Ｍａｎａｇｅｍｅｎｔ  Ｅｎｔｉｔｙ、モビリティ管理エンティティ）をＵＥに割り振る。ネットワークアップスケーリング／ダウンスケーリングや、ＭＭＥがＵＥにサービスすることを続けることができないＭＭＥ障害などのシナリオでは、ＵＥを別のＭＭＥに移動する必要がある。４Ｇ通信ネットワークでは、ＵＥのサービングＭＭＥを変更する手順は、比較的複雑である。ＵＥがアイドルモードにある場合、ネットワークはＵＥをページングし、位置更新を開始するようにＵＥに命令し、位置更新処理でＵＥが新しいＭＭＥにハンドオーバされる。したがって、ＵＥのサービングＭＭＥを変更することは、（例えば、ページング処理および位置更新処理で）比較的大量のエアインターフェースシグナリングのトリガリングを必要とする。比較的大量のＵＥを移動する必要があるとき、エアインターフェースシグナリングが急激に増大する。エアインターフェースシグナリングの嵐を回避するためには、既存の解決策はバッチでのハンドオーバである。しかしながら、バッチでのハンドオーバは、ＭＭＥの負荷を遅れずに低減するには遅過ぎ、したがってネットワーク上のロードバランシングには役立たない。
【０００４】
５Ｇ（５ｔｈ  ｇｅｎｅｒａｔｉｏｎ、第４世代）通信ネットワークでは、コアネットワーク内の機能ネットワーク要素が、仮想化技術に基づいて実装されることになっており、ネットワーク機能の頻繁なアップスケーリング、ダウンスケーリング、追加、および除去が、オペレータのネットワーク配置で行われると予見されることができる。４ＧでのＭＭＥ負荷再配置方法は、柔軟な配置および頻繁な変更によって特徴付けられるそのような５Ｇネットワークシナリオに対しては不適切である。
【発明の概要】
【０００５】
本願の実施形態は、問題、例えばコアネットワークの機能エンティティが過剰なエアインターフェースリソースを占有し、負荷再配置処理で低い負荷再配置効率を有することを解決するために、負荷再配置方法、装置、およびシステムを提供する。
【０００６】
上記の目的を達成するために、本願の実施形態は、以下の技術的解決策を提供する。
【０００７】
第１の態様によれば、本願の一実施形態は負荷再配置方法を提供し、その結果、負荷再配置のための元のアクセス管理エンティティによって現在サービスされている一部のまたはすべてのＵＥが、ターゲットアクセス管理エンティティに移動され、方法は、通信ネットワークエンティティによって、負荷再配置のためのターゲットアクセス管理エンティティをまず決定すること、および元のアクセス管理エンティティの識別子と、アクセスネットワークエンティティに関連するターゲットアクセス管理エンティティのアドレスとの間の対応をアクセスネットワークエンティティに送ることを含む。アクセスネットワークエンティティは、ＵＥからのメッセージ、またはアクセスネットワークエンティティ内に記憶されたＵＥのコンテキストから、ＵＥに現在サービスしているアクセス管理エンティティの識別子を取得することができる。したがって、アクセスネットワークエンティティは、通信ネットワークエンティティによって送られる元のアクセス管理エンティティの識別子に基づいて、どのＵＥを移動する必要があるかを決定することができ、元のアクセス管理エンティティの識別子に対応する、アクセスネットワークエンティティに関連するターゲットアクセス管理エンティティのアドレスに基づいて、どのターゲットアクセス管理エンティティにＵＥを移動する必要があるか、どのアドレスにＵＥからのメッセージを転送する必要があるかをさらに学習することができる。このようにして、通信ネットワークエンティティは、各ＵＥについてアクセスネットワークエンティティに負荷再配置命令またはメッセージを送る必要がなく、それによってシグナリングオーバヘッドを削減し、負荷再配置効率を改善する。さらに、アクセスネットワークエンティティは、ＵＥのためのアクセス管理エンティティをアクセスネットワークエンティティに再選択させるために、位置更新手順を開始するようにＵＥに命令する必要がない。このことはエアインターフェースシグナリングを削減し、エアインターフェースリソースを節約する。
【０００８】
可能な設計では、負荷再配置後にターゲットアクセス管理エンティティに元のアクセス管理エンティティの識別子をターゲットアクセス管理エンティティの識別子として使用させるために、通信ネットワークエンティティはさらに、元のアクセス管理エンティティの識別子をターゲットアクセス管理エンティティに送る必要がある。したがって、元のアクセス管理エンティティの負荷がターゲットアクセス管理エンティティに再配置された後、ターゲットアクセス管理エンティティは、元のアクセス管理エンティティの識別子を使用してＵＥにサービスし得る。例えば、新しいＵＥがターゲットアクセス管理エンティティに接続または登録され、ターゲットアクセス管理エンティティが一時識別子をＵＥに割り振るとき、一時識別子内に含まれるアクセス管理エンティティの識別子は、元のアクセス管理エンティティの識別子であり得る。アクセス管理エンティティの識別子はまた、ネットワークリソースのタイプであり、ネットワーク容量および配置に基づいて計画および構成する必要がある。これは、ネットワークリソースとしてのアクセス管理エンティティの識別子が浪費されないことを保証する。
【０００９】
可能な設計では、通信ネットワークエンティティは元のアクセス管理エンティティであり得、ターゲットアクセス管理エンティティが、移動されるべきＵＥ（to-be-moved UE）に正常にサービスすることが可能となるように、元のアクセス管理エンティティはさらに、移動されるべきＵＥのコンテキストをターゲットアクセス管理エンティティまたはデータ記憶機能エンティティに送る必要がある。したがって、アクセスネットワークエンティティがＵＥのメッセージをターゲットアクセス管理エンティティに送った後、ターゲットアクセス管理エンティティは、ＵＥの受信されたコンテキスト、またはデータ記憶機能エンティティから取得されたＵＥのコンテキストに基づいて、ＵＥにサービスすることを続けることができる。通信ネットワーク内部の負荷再配置は、ＵＥのサービスに影響を及ぼさず、ＵＥはさらに、アクセス管理エンティティの変更を認識しない。例えば、ターゲットアクセス管理エンティティは、ＵＥのコンテキスト内に記憶された、ＵＥに現在サービスしているセッション管理エンティティの識別子またはアドレスに基づいて、ＵＥからのメッセージを、処理のためにセッション管理エンティティに転送し得る。
【００１０】
可能な設計では、通信ネットワークエンティティは元のアクセス管理エンティティであり得、ＵＥに現在サービスしているセッション管理エンティティに、負荷再配置後に、ＵＥに現在サービスしているアクセス管理エンティティ、すなわちターゲットアクセス管理エンティティを依然として見つけることができるようにさせるために、元のアクセス管理エンティティはさらに、移動されるべきＵＥに現在サービスしているセッション管理エンティティに、元のアクセス管理エンティティの識別子と、セッション管理エンティティに関連するターゲットアクセス管理エンティティのアドレスとの間の対応を送る必要がある。このようにして、セッション管理エンティティは、ＵＥに現在サービスしているアクセス管理エンティティの識別子を記憶しているので、セッション管理エンティティがＵＥに宛てられたダウンリンクメッセージを受信すると、セッション管理エンティティは、元のアクセス管理エンティティの識別子に基づいて、ＵＥに宛てられたメッセージを、対応するターゲットアクセス管理エンティティに送ることができる。
【００１１】
可能な設計では、通信ネットワークエンティティは運用および保守エンティティであり得、元のアクセス管理エンティティに、どのＵＥがどのターゲットアクセス管理エンティティに移動されるべきかをクリアさせるために、運用および保守エンティティは、再配置のための元のアクセス管理エンティティの識別子と、元のアクセス管理エンティティに関連するターゲットアクセス管理エンティティのアドレスとを元のアクセス管理エンティティに送る必要がある。元のアクセス管理エンティティによってサービスされるＵＥに元のアクセス管理エンティティによって割り振られる一時識別子が、元のアクセス管理エンティティの識別子を含むので、元のアクセス管理エンティティが複数の識別子を含むと仮定される間、元のアクセス管理エンティティは、運用および保守エンティティによって送られた元のアクセス管理エンティティの識別子に基づいて、移動されるべきＵＥを決定することができる。さらに、元のアクセス管理エンティティに関連するターゲットアクセス管理エンティティのアドレスは、元のアクセス管理エンティティが、移動されるべきＵＥのコンテキストをターゲットアクセス管理エンティティに送ることを助けることができる。
【００１２】
第２の態様によれば、本願の一実施形態は負荷再配置方法を提供し、方法は、通信ネットワークエンティティによって送られた、元のアクセス管理エンティティの識別子と、アクセスネットワークエンティティに関連するターゲットアクセス管理エンティティのアドレスとの間の対応を、アクセスネットワークエンティティによって受信すること、およびアクセスネットワークエンティティに関連するターゲットアクセス管理エンティティのアドレスに、ＵＥからの受信されたメッセージ内で搬送される元のアクセス管理エンティティの識別子に基づく、またはアクセスネットワークエンティティ内に記憶されたＵＥに現在サービスしている元のアクセス管理エンティティの識別子に基づくＵＥからのメッセージを、アクセスネットワークエンティティによって送ることを含む。このようにして、アクセスネットワークエンティティは、通信ネットワークエンティティの指示に基づいて、アクセス管理エンティティ識別子とアクセス管理エンティティアドレスとの間の対応を記憶する。ＵＥからメッセージを受信するとき、アクセスネットワークエンティティは、ＵＥからのメッセージ内に含まれるアクセス管理エンティティの識別子、またはアクセスネットワークエンティティ内に記憶されたＵＥにサービスするアクセス管理エンティティの識別子に基づいて、識別子に対応するアクセス管理エンティティのアドレスを直接的に見つけることができる。通信ネットワーク内のアクセス管理エンティティ間の負荷再配置の如何に関わらず、アクセスネットワークエンティティは、アクセス管理エンティティ間のリダイレクションの必要なしに、ＵＥからのメッセージを正しいアクセス管理エンティティに常に送ることができる。さらに、アクセス管理エンティティが行う必要があるのは、アクセス管理エンティティ間のロードバランシングを保証するために、通信ネットワークエンティティによって指定される対応に基づいてメッセージ転送を実施することだけである。これは、アクセスネットワークエンティティによるメッセージ転送の複雑さを簡略化する。例えば、メッセージ転送を実施するとき、アクセスネットワークエンティティはもはや、ロードバランシングアルゴリズムに基づいてアクセス管理エンティティを選択する必要がない。
【００１３】
可能な設計では、アクセスネットワークエンティティ内に記憶されたＵＥのコンテキストが、ＵＥに現在サービスしているアクセス管理エンティティの識別子と、アクセスネットワークエンティティに関連するアクセス管理エンティティのアドレスとを含み、アクセスネットワークエンティティは、元のアクセス管理エンティティの受信された識別子に基づいて、ＵＥの更新されるべきコンテキストを決定し、アクセスネットワークエンティティに関連するＵＥにサービスするアクセス管理エンティティの、ＵＥのコンテキスト内に含まれるアドレスを無効値に設定する。このようにして、アクセスネットワークエンティティがＵＥからメッセージを受信するとき、アクセスネットワークエンティティは、アクセスネットワークエンティティに関連するＵＥにサービスするアクセス管理エンティティの、ＵＥのコンテキスト内に含まれるアドレスが無効値であると判定し、アクセスネットワークエンティティは、ＵＥのコンテキストから、元のアクセス管理エンティティの識別子を取得し、元のアクセス管理エンティティの識別子に基づいて、アクセスネットワークエンティティに関連する、対応するターゲットアクセス管理エンティティのアドレスを決定する。アクセスネットワークエンティティは、アクセスネットワークエンティティに関連するターゲットアクセス管理エンティティのアドレスに、ＵＥからのメッセージを送る。
【００１４】
可能な設計では、アクセスネットワークエンティティ内に記憶されたＵＥのコンテキストが、ＵＥに現在サービスしているアクセス管理エンティティの識別子と、アクセスネットワークエンティティに関連するアクセス管理エンティティのアドレスとを含み、アクセスネットワークエンティティは、元のアクセス管理エンティティの受信された識別子に基づいて、ＵＥの更新されるべきコンテキストを決定し、アクセスネットワークエンティティに関連するＵＥにサービスするアクセス管理エンティティの、ＵＥのコンテキスト内に含まれるアドレスを、アクセスネットワークエンティティに関連するターゲットアクセスエンティティのアドレスとして設定する。このようにして、アクセスネットワークエンティティがＵＥからメッセージを受信するとき、アクセスネットワークエンティティは、ＵＥのコンテキスト内に記録されるアクセスネットワークエンティティに関連するアクセス管理エンティティのアドレスに基づいて、ターゲットアクセス管理エンティティにメッセージを直接的に送る。
【００１５】
可能な設計では、アクセスネットワークエンティティはＵＥからメッセージを受信し、アクセスネットワークエンティティは、メッセージから元のアクセス管理エンティティの識別子を取得し、元のアクセス管理エンティティの識別子に基づいて、アクセスネットワークエンティティに関連する、対応するターゲットアクセス管理エンティティのアドレスを決定し、アクセスネットワークエンティティは、アクセスネットワークエンティティに関連するターゲットアクセス管理エンティティのアドレスに、ＵＥからのメッセージを送る。
【００１６】
可能な設計では、通信ネットワークエンティティは、元のアクセス管理エンティティ、または運用および保守エンティティであり得る。
【００１７】
第３の態様によれば、本願の一実施形態は、負荷再配置のための通信ネットワークエンティティを提供し、通信ネットワークエンティティは、第１の態様による方法での通信ネットワークエンティティのアクションを実装する機能を有する。機能は、ハードウェアによって、または対応するソフトウェアをハードウェアで実行することによって実装され得る。ハードウェアまたはソフトウェアは、機能に対応する１つまたは複数のモジュールを含む。
【００１８】
可能な設計では、通信ネットワークエンティティは、プロセッサ、メモリ、バス、および通信インターフェースを含むコンピュータデバイスであり、メモリが、コンピュータ実行可能命令を記憶するように構成され、プロセッサが、バスを使用することによってメモリに接続され、デバイスが動作するとき、プロセッサは、メモリ内に記憶されたコンピュータ実行可能命令を実行し、その結果、通信ネットワークエンティティは、第１の態様の任意の設計による負荷再配置方法を実施する。
【００１９】
第４の態様によれば、本願の一実施形態は、負荷再配置のためのアクセスネットワークエンティティを提供し、アクセスネットワークエンティティは、第２の態様による方法でのアクセスネットワークエンティティのアクションを実装する機能を有する。機能は、ハードウェアによって、または対応するソフトウェアをハードウェアで実行することによって実装され得る。ハードウェアまたはソフトウェアは、機能に対応する１つまたは複数のモジュールを含む。
【００２０】
第５の態様によれば、本願の一実施形態はコンピュータ可読記憶媒体を提供し、コンピュータ可読記憶媒体は命令を記憶し、コンピュータ可読記憶媒体がコンピュータ上で動作するとき、コンピュータは、第１の態様または第２の態様による方法を実施する。
【００２１】
第６の態様によれば、本願の一実施形態はコンピュータプログラム製品を提供し、製品がコンピュータ上で動作するとき、コンピュータは、第１の態様または第２の態様による方法を実施する。
【００２２】
第７の態様によれば、本願の一実施形態は、上記の態様による通信ネットワークエンティティおよびアクセスネットワークエンティティを含む負荷再配置システムを提供する。
【００２３】
本願の実施形態では、アクセスネットワークエンティティ、アクセス管理エンティティ、セッション管理エンティティ、ならびに運用および保守エンティティの名前はエンティティを限定しない。実際の実装では、これらのエンティティが他の名前の中に存在し得る。エンティティの機能が本願のエンティティの機能と同様であること、またはエンティティが複数の機能を有し、機能のうちの１つまたは複数が本願の機能と同様であることを条件として、すべての名前が本願の保護範囲内に包含される。
【図面の簡単な説明】
【００２４】
【図１ａ】本願の一実施形態による、可能なシステムネットワークの概略図である。
【図１ｂ】本願の一実施形態による、可能な５Ｇネットワークアーキテクチャの概略図である。
【図２】本願の一実施形態による、ユーザ機器の一時識別子の可能な構成の概略図である。
【図３ａ】本願の一実施形態による、負荷再配置方法の概略フローチャートである。
【図３ｂ】本願の一実施形態による、別の負荷再配置方法の概略フローチャートである。
【図４】本願の一実施形態による、別の負荷再配置方法の概略フローチャートである。
【図５】本願の一実施形態による、別の負荷再配置方法の概略フローチャートである。
【図６】本願の一実施形態による、コンピュータデバイスの概略構造図である。
【図７】本願の一実施形態による、アクセスネットワークエンティティの機能モジュールの概略図である。
【図８】本願の一実施形態による、アクセスネットワークエンティティの概略構造図である。
【図９】本願の一実施形態による、通信ネットワークエンティティの機能モジュールの概略図である。
【発明を実施するための形態】
【００２５】
以下は、本願の実施形態での添付の図面を参照しながら、本願の実施形態での技術的解決策を説明する。
【００２６】
本発明の実施形態は負荷再配置方法を提供する。方法は、図１ａに示されるシステムアーキテクチャまたはアプリケーションシナリオに適用され得る。図１ａに示されるように、ユーザ機器が、アクセスネットワークエンティティを使用することによってアクセス管理エンティティに接続され、アクセス管理エンティティは、ユーザ機器に関するアクセス認証および接続性管理を実施し、アクセス管理エンティティは、セッション管理エンティティを使用することによって、ユーザ機器について、サービスサーバまたは別のネットワークまたはデバイスへの接続を確立する。図１ａに示される通信ネットワーク内に複数のアクセス管理エンティティ、例えばアクセス管理エンティティ１およびアクセス管理エンティティ２があり得る。アクセス管理エンティティ１がユーザ機器についての接続性管理サービスを提供することを続けることができないとき、ユーザ機器をアクセス管理エンティティ２に移動する必要があり、アクセスネットワークエンティティは、ユーザ機器のメッセージをアクセス管理エンティティ２に転送するように命令され、その結果、ユーザ機器に正常にサービスされる。実際のネットワーク配置では、システム内のエンティティまたはデバイスに関する保守および管理を実施するために、通信ネットワーク内に運用および保守エンティティ（図示せず）があり得る。例えば、運用および保守エンティティは、アクセス管理エンティティ、セッション管理エンティティ、ＲＡＮなどのデバイスに接続され、運用および保守エンティティは、これらのデバイスに関する構成および初期化などのリモート運用および保守を実施するように、アクセス管理エンティティ、セッション管理エンティティ、ＲＡＮなどのデバイスにメッセージを送り得る。
【００２７】
本願のこの実施形態では、アクセス管理エンティティ、セッション管理エンティティ、ならびに運用および保守エンティティは、通信ネットワークエンティティと呼ばれることがある。図１ａのエンティティの名前はエンティティを限定しない。例えば、「アクセス管理エンティティ」は、代替として「アクセスおよびモビリティ管理機能エンティティ」または他の名前で置き換えられ得、「セッション管理エンティティ」は、代替として「セッション管理機能」または他の名前で置き換えられ得る。さらに、アクセス管理エンティティは、代替としてモビリティ管理機能に加えて他の機能を含むエンティティに対応し得る。セッション管理エンティティは、代替としてセッション管理機能に加えて他の機能を含むエンティティに対応し得る。次に全体的な説明が与えられ、より詳しい詳細は以下では説明されない。
【００２８】
図１ｂは、図１ａの可能な通信システム例である。図１ｂは、ＵＥ（Ｕｓｅｒ  ｅｑｕｉｐｍｅｎｔ、ユーザ機器）、（Ｒ）ＡＮ（ｒａｄｉｏ  ａｃｃｅｓｓ  ｎｅｔｗｏｒｋ、無線アクセスネットワークエンティティ）、コアネットワーク、およびＤＮ（Ｄａｔａ  Ｎｅｔｗｏｒｋ、データネットワーク）を含む。ユーザ機器は、ＤＮによって提供されるサービスを有するように、ＲＡＮを使用することによってコアネットワークに接続され、コアネットワークを使用することによってＤＮに接続される。コアネットワークは、ＡＭＦ（Ａｃｃｅｓｓ  ａｎｄ  Ｍｏｂｉｌｉｔｙ  Ｍａｎａｇｅｍｅｎｔ、アクセスおよびモビリティ管理機能）、ＳＦ（Ｓｅｓｓｉｏｎ  Ｍａｎａｇｅｍｅｎｔ  Ｆｕｎｃｔｉｏｎ、セッション管理機能）、ＰＣＦ（Ｐｏｌｉｃｙ  Ｃｏｎｔｒｏｌ  ｆｕｎｃｔｉｏｎ、ポリシー制御機能）、およびＵＰＦ（Ｕｓｅｒ  ｐｌａｎｅ  Ｆｕｎｃｔｉｏｎ、ユーザプレーン機能）を含む。図１ｂに示されるシステムアーキテクチャでは、ＲＡＮは、図１ａのアクセスネットワークエンティティの例であり、ＡＭＦは、図１ａのアクセス管理エンティティの例であり、ＳＭＦは、図１ａのセッション管理エンティティの例である。ＵＥは、ＲＡＮを使用することによってＡＭＦに接続される。ＡＭＦは、ＵＥについてのアクセスおよびモビリティ管理サービスを提供する。具体的には、ＡＭＦは、アクセスを要求するユーザに関する認証を実施し、ＡＭＦを使用することによってコアネットワークに接続されたユーザ機器に関する管理（例えば、接続性管理およびモビリティ管理）を実施する。ＳＭＦは、ＵＥに関するポリシーをＰＣＦから取得し、関連するポリシーに従って、ＵＰＦを制御して、ＵＥについてのＤＮへの接続を確立する。コアネットワークはさらに、コアネットワークに接続され、またはアタッチされたＵＥに一時識別子を割り振る。ＰＬＭＮ  ＩＤ（Ｐｕｂｌｉｃ  Ｌａｎｄ  Ｍｏｂｉｌｅ  Ｎｅｔｗｏｒｋ  ｉｄｅｎｔｉｆｉｃａｔｉｏｎ、パブリックランドモバイルネットワーク識別）、ＡＭＦグループＩＤ（ＡＭＦグループ識別子）、ＡＭＦ  ＩＤ（ＡＭＦ識別子）、およびＵＥ  ＩＤ（ＵＥ識別子）を含む、一時識別子のフォーマットが図２に示されている。本願のこの実施形態でのコアネットワークエンティティの名前および配置形態は例に過ぎず、本願の技術的解決策および関連する機能エンティティを限定しないことに留意されたい。将来の、これらのネットワークエンティティの名前、位置、およびこれらのネットワークエンティティ間の対話に対するどんな変形も、これらのネットワークエンティティが本願の実施形態でのネットワークエンティティの機能を有することを条件として、本願の保護範囲に包含されるものとする。例えば、ＡＭＦまたはＳＭＦ機能を有するデバイスは、ＡＭＦまたはＳＭＦと呼ばれることがあり、あるいはＡＭＦインスタンスもしくはＳＭＦインスタンス、ＡＭＦデバイスもしくはＳＭＦデバイス、またはＡＭＦ機能エンティティもしくはＳＭＦ機能エンティティと呼ばれることがある。同様に、本願の実施形態で説明される技術的解決策は、図１ｂに示される通信システム内のネットワークエンティティに限定されない。他のタイプのネットワー��内のネットワークエンティティは、これらのネットワークエンティティが本願の実施形態でのネットワークエンティティの機能を有することを条件として、本願の保護範囲内にすべて包含されるものとする。
【００２９】
ＡＭＦが負荷再分配を実施するとき、例えばＡＭＦがシャットダウンまたはスケールダウンされるとき、ＡＭＦは、ＡＭＦによって現在管理されているＵＥ、言い換えれば、ＡＭＦによって現在サービスされているＵＥ、またはＡＭＦに現在登録されているＵＥを、別のＡＭＦにハンドオーバする必要がある。この目的で、本願の実施形態は技術的解決策を提供する。ＲＡＮがＡＭＦ  ＩＤとＡＭＦアドレスとの間の対応を含むＡＭＦルーティング情報を記憶し、ＡＭＦが、ＡＭＦによって管理される一部のまたはすべてのＵＥを別のＡＭＦにハンドオーバすることを意図するとき、ＡＭＦまたは運用および保守（Ｏｐｅｒａｔｉｏｎｓ  ＆  Ｍａｉｎｔｅｎａｎｃｅ、Ｏ＆Ｍ）エンティティが、負荷再配置後に有効なＡＭＦルーティング情報、例えば負荷再配置後に有効なＡＭＦ  ＩＤに対応するＡＭＦアドレス、言い換えれば、負荷再配置のためのターゲットＡＭＦのアドレスをＲＡＮに送る。ＡＭＦ  ＩＤの長さが変化したとき、新しいＡＭＦ  ＩＤをさらに搬送する必要がある。ＲＡＮがＵＥからＮＡＳ（Ｎｏｎ  Ａｃｃｅｓｓ  Ｓｔｒａｔｕｍ、非アクセス層）メッセージを受信したとき、ＲＡＮは、ＵＥの一時識別子内に含まれるＡＭＦ  ＩＤに基づいて、ＡＭＦ  ＩＤに対応するＡＭＦアドレスを決定し、ＵＥによって送られたメッセージをＡＭＦアドレスに転送する。本願の実施形態で提供される技術的解決策によれば、ＵＥの一時識別子が、ＵＥが登録するＡＭＦまたはＵＥにサービスするＡＭＦのＡＭＦ  ＩＤを含むという特徴が利用され、ＡＭＦ  ＩＤに対応するＡＭＦアドレスがＲＡＮに対して更新され、その結果、ＲＡＮは、ＵＥの一時識別子内のＡＭＦ  ＩＤに基づいて、負荷再配置のためのターゲットＡＭＦのアドレスを決定することができ、ＵＥのメッセージを負荷再配置のためのターゲットＡＭＦにさらに転送することができる。これは、５Ｇコアネットワークの負荷再分配要件または負荷再配置要件を満たす。コアネットワーク要素が負荷再配置後に有効なＡＭＦルーティング情報を別の方式でＲＡＮに送り得ることを当業者は理解し得る。例えば、コアネットワーク要素は、負荷再配置のための元のＡＭＦの識別子と、負荷再配置のためのターゲットＡＭＦの識別子とをＲＡＮに送り、ＲＡＮは、ターゲットＡＭＦの識別子に基づいて、ターゲットＡＭＦの識別子に対応するＡＭＦアドレス、言い換えれば、負荷再配置のためのターゲットＡＭＦのアドレスを取得し、負荷再配置のためのターゲットＡＭＦに、ＵＥに関するメッセージを送り得る。ＡＭＦ識別子はＡＭＦを一意に特定する任意のフォーマット、例えば、文字列のフォーマットの名前、完全修飾ドメイン名（Ｆｕｌｌｙ  Ｑｕａｌｉｆｉｅｄ  Ｄｏｍａｉｎ  Ｎａｍｅ、ＦＱＤＮ）、またはグローバル一意ＡＭＦ識別子（Ｇｌｏｂａｌｌｙ  Ｕｎｉｑｕｅ  ＡＭＦ  Ｉｄｅｎｔｉｆｉｅｒ、ＧＵＡＭＩ）であり得ることに留意されたい。本願の実施形態で提供される技術的解決策では、ＡＭＦおよびＲＡＮは、各ＵＥについて、ＵＥ再配置に関係するシグナリング交換を実施する必要がない。例えば、ＡＭＦおよびＲＡＮは、ＵＥをページングし、または位置更新または新しい登録を開始するようにＵＥに命令する必要がない。さらに、ＡＭ���は、各ＵＥについてＲＡＮ内に記憶されたＵＥのコンテキスト内のＡＭＦ  ＩＤを削除するようにＲＡＮにメッセージを送る必要がない。したがって、シグナリングオーバヘッドが著しく削減され、大量のネットワークリソースが節約される。
【００３０】
本願のこの実施形態では、ＲＡＮがＡＭＦルーティング情報を記憶する特定の形態は限定されない。ＲＡＮは、ＡＭＦルーティングテーブルの形態でＡＭＦルーティング情報を記憶し得、ルーティングテーブル以外の他の形態でＡＭＦルーティング情報を記憶し得る。例えば、ＲＡＮはＡＭＦ  ＩＤテーブルおよびＡＭＦアドレステーブルを記憶し、２つのテーブルがどちらもＡＭＦ名を索引として含む。このケースでは、ＡＭＦ  ＩＤとＡＭＦアドレスとの間の対応も確立され得る。説明しやすいように、本願のこの実施形態では、本願での技術的解決策が、一例としてＡＭＦルーティングテーブルを使用することによって説明される。本願のこの実施形態での解決策の機能が実装されることを条件として、ルーティング情報が別の形態で記録されるすべての解決策が本願の保護範囲内に包含されるものとすることに留意されたい。
【００３１】
本願のこの実施形態での５Ｇコアネットワークが、それぞれＡＭＦ１、ＡＭＦ２、ＡＭＦ３、およびＡＭＦ４という４つのＡＭＦデバイスまたはＡＭＦインスタンスを含むと仮定される。ＲＡＮ内に記憶されたＡＭＦルーティングテーブルが表１に示されており、ＲＡＮに関連するＡＭＦのアドレス（表１の第２の列に示される）と、ＡＭＦ  ＩＤ（表１の第３の列に示される）とを含む。本願のこの実施形態の説明がしやすいように、当業者が技術的解決策を理解するのを助けるために、ＡＭＦ名の列（表１の第１の列に示される）が表１に追加される。本願のこの実施形態では、ＲＡＮに関連するＡＭＦのアドレスと、ＡＭＦ  ＩＤの特定のフォーマットは限定されない。表１では、ＡＭＦ  ＩＤが２ビット（ｂｉｔ）の長さの２進フォーマットであると仮定される。ＡＭＦとＲＡＮとの間で使用されるトランスポート層プロトコルがＳＣＴＰ（Ｓｔｒｅａｍ  Ｃｏｎｔｒｏｌ  Ｔｒａｎｓｍｉｓｓｉｏｎ  Ｐｒｏｔｏｃｏｌ、ストリーム制御伝送プロトコル）であると仮定すると、ＲＡＮに関連するＡＭＦのアドレスは、ＳＣＴＰアドレス、ＳＣＴＰポート番号などである。ＲＡＮは、表１に示されるＡＭＦルーティング情報を様々な方式で記録および記憶し得、本願のこの実施形態はそれに関して制限を課さないことに留意されたい。例えば、ネットワーク配置の間に、Ｏ＆Ｍ（ｏｐｅｒａｔｉｏｎ  ａｎｄ  ｍａｉｎｔｅｎａｎｃｅ、運用および保守）エンティティが中央プランニングを実施し、ＡＭＦ  ＩＤを割り振り、ＡＭＦにＡＭＦ  ＩＤを送る。ＲＡＮへの接続を確立するとき、各ＡＭＦはＡＭＦ  ＩＤと、ＲＡＮに関連するＡＭＦのアドレスとを送り、その結果、ＲＡＮはＡＭＦルーティングテーブルを生成する。あるいは、Ｏ＆Ｍエンティティは、中央プランニングを実施し、ＡＭＦルーティングテーブルを生成し、ＲＡＮにＡＭＦルーティングテーブルを送り得る。ＲＡＮがＡＭＦルーティングテーブルを受信する前に、またはＲＡＮが未登録のＵＥのＮＡＳメッセージを受信したとき、ＲＡＮは、ローカルに構成されたポリシーまたは別のルーティングポリシー、例えばＡＭＦ間のロードバランシングを保証するためのポリシーに従ってＵＥのＮＡＳメッセージを送り、ＲＡＮは、ＮＡＳメッセージルーティングのためにＡＭＦを均一に選択し得る。
【００３２】
【表１】
2020504541.tif 000003
【００３３】
ＵＥの一時識別子内のＡＭＦ  ＩＤ＋ＵＥ  ＩＤが「００１００１００１０１１００１０１．．．」であると仮定すると、表１に示されるＡＭＦルーティングテーブルによれば、ＵＥの一時識別子から取られるＡＭＦ  ＩＤは「００」であり、ＲＡＮは、表１のＲＡＮに関連するＡＭＦ１のアドレスに基づいて、ＵＥのＮＡＳメッセージをＡＭＦ１に送るべきである。
【００３４】
保守やアップグレードなどの運用のために表１のＡＭＦ１をシャットダウンする必要があるとき、ＡＭＦ１のすべてのＵＥを別のＡＭＦに移動する必要があり、ＡＭＦ１は、負荷再配置のための元のＡＭＦである。ＡＭＦ１がＡＭＦ１によってサービスされるすべてのＵＥを現在最も負荷が軽いＡＭＦ２にハンドオーバすることを決定すると仮定され、これは、ＡＭＦ２が負荷再配置のためのターゲットＡＭＦであることを意味する。このケースでは、ＡＭＦ１は、表１のＡＭＦルーティングテーブルをリフレッシュし、リフレッシュされたＡＭＦルーティングテーブルが表２に示されている。表２では、その一時識別子がＡＭＦ  ＩＤ「００」を含むＵＥのＮＡＳメッセージは、ＡＭＦ２にルーティングされることになっている。
【００３５】
【表２】
2020504541.tif 000004
【００３６】
本願のこの実施形態では、ＡＭＦルーティングテーブル内のＵＥについての情報の長さは限定されない。具体的には、表１のＵＥの一時識別子内のＡＭＦ  ＩＤの長さは限定されない。したがって、オペレータがネットワークをスケールアップする必要があり、より多くのＡＭＦを識別するように２ビットＡＭＦ  ＩＤを拡張する必要があるとき、本願のこの実施形態で提供される方法は、依然として適用可能である。５Ｇコアネットワーク上に過剰なネットワーク負荷があることが仮定される。ネットワーク負荷を削減し、ネットワーク信頼性を改善するために、オペレータは、５Ｇコアネットワーク内にＡＭＦ５およびＡＭＦ６を新たに配置することによって５Ｇコアネットワークをスケールアップすることを決定する。したがって、ＡＭＦ  ＩＤを３ビットに拡張する必要がある。表１に示されるＡＭＦルーティングテーブルが、表３に示される新しいＡＭＦルーティングテーブルを取得するためにリフレッシュされる。表３では、ＵＥについての情報は、ＵＥの一時識別子内のＡＭＦ  ＩＤ＋ＵＥ  ＩＤ部分から取られた最初の３つの上位ビットである。５Ｇコアネットワークがスケールアップされる前に一時識別子がＵＥに割り振られ、ＵＥの一時識別子内のＡＭＦ  ＩＤ＋ＵＥ  ＩＤが「００１００１００１０１１００１０１．．．」であると仮定される。次いで、スケーリングアップ後のＵＥのＡＭＦ  ＩＤは「００１」である。
【００３７】
【表３】
2020504541.tif 000005
【００３８】
ＡＭＦ１、ＡＭＦ２、ＡＭＦ３、およびＡＭＦ４に対する負荷を低減するために（以下では、連続した番号のＡＭＦのセットを表すためにＡＭＦ１〜ＡＭＦ４が使用される）、ＡＭＦ１〜ＡＭＦ４はそれぞれ、ＡＭＦ１〜ＡＭＦ４によってサービスされるＵＥの一部をＡＭＦ５およびＡＭＦ６にハンドオーバし、ハンドオーバ後のＡＭＦルーティングテーブルが表４に示されている。ＡＭＦ１は、その一時識別子がＡＭＦ  ＩＤ「００１」を含む、ＡＭＦ１によってサービスされるＵＥを、ＡＭＦ５にハンドオーバし、ＡＭＦ２は、その一時識別子がＡＭＦ  ＩＤ「０１１」を含む、ＡＭＦ２によってサービスされるＵＥを、ＡＭＦ５にハンドオーバし、ＡＭＦ３は、その一時識別子がＡＭＦ  ＩＤ「１０１」を含む、ＡＭＦ３によってサービスされるＵＥを、ＡＭＦ６にハンドオーバし、ＡＭＦ４は、その一時識別子がＡＭＦ  ＩＤ「１１１」を含む、ＡＭＦ４によってサービスされるＵＥを、ＡＭＦ６にハンドオーバする。後に、新しいＵＥがＡＭＦ５に登録するとき、ＡＭＦ５は、一時識別子をＵＥに割り振るために、「００１」および「０１１」から一方をＡＭＦ  ＩＤとして選択する必要がある。ＵＥの一時識別子の割振りのために、後続の負荷再配置でのロードバランシングを容易にするために、ＡＭＦ５は、ＡＭＦルーティングテーブル内のＡＭＦ  ＩＤを使用して後続の負荷再配置を助けるように、同じ確率に基づいて「００１」および「０１１」をＡＭＦ  ＩＤとして選択する必要がある。
【００３９】
【表４】
2020504541.tif 000006
【００４０】
さらに、表３に示されるＡＭＦルーティングテーブルに基づいて、オペレータがネットワークをスケールアップするのと同時に、保守やアップグレードなどの運用のためにＡＭＦ１をシャットダウンする必要がある場合、ＡＭＦ１はまた、ＡＭＦ１によってサービスされるＵＥの、複数のＡＭＦへのハンドオーバをサポートする。例えば、その一時識別子がＡＭＦ  ＩＤ  ００１を含むＵＥがＡＭＦ５に移動され、その一時識別子がＡＭＦ  ＩＤ  ０００を含むＵＥがＡＭＦ２に移動される。次いで、ハンドオーバ後のＡＭＦルーティングテーブルが表５に示されている。
【００４１】
【表５】
2020504541.tif 000007
【００４２】
ＡＭＦが負荷再配置の間に、負荷再配置後に有効なＡＭＦルーティング情報をＲＡＮに送る、本願のこの実施形態で提供される解決策が、負荷再配置およびロードバランシングを実装するように、登録される（または既にＵＥの一時識別子を有する）ＵＥのＮＡＳメッセージを負荷再配置のためのターゲットＡＭＦに送るようにＲＡＮに命令することが意図されることに留意されたい。ＡＭＦルーティング情報を搬送するメッセージが、その負荷が再配置されるべきＡＭＦによって送られ得、またはＯ＆Ｍエンティティによって送られ得る。これは、本願のこの実施形態では限定されない。
【００４３】
ＡＭＦルーティングテーブルの概念および原理が、上記のテーブルおよび対応する説明を使用することによって明らかにされた。以下は、メッセージフローのダイアグラムを使用することによって、本願の実施形態で提供される負荷再配置方法を説明する。
【００４４】
図３ａは、ＡＭＦルーティングテーブルに基づくＡＭＦ負荷再配置のための方法のフローチャートである。ＡＭＦ１をシャットダウンもしくはスケールダウンする必要があるシナリオ、またはＡＭＦ２をスケールアップする必要があるシナリオでは、（表１および表２に示されるように）ＡＭＦ１に登録されたすべてのＵＥをＡＭＦ２にハンドオーバするために、または（表３および表４に示されるように）ＡＭＦ１に登録されたいくつかのＵＥを別のＡＭＦにハンドオーバするために、ＡＭＦ１について負荷再配置を実施する必要がある。図３ａでは、ＲＡＮが表１に示されるＡＭＦルーティングテーブルを記憶していると仮定すると、ＡＭＦ１をシャットダウンする必要があり、ＡＭＦ１は、ＡＭＦ２への負荷再配置を開始する。
【００４５】
３０１。ＡＭＦ１がシャットダウンされ、ネットワーク内の他のＡＭＦの負荷ステータスに基づいて、またはＯ＆Ｍエンティティの命令に従って、ＡＭＦ１に登録されている、またはＡＭＦ１によってサービスされるすべてのＵＥをＡＭＦ２にハンドオーバすることを決定する。
【００４６】
３０２。ＡＭＦ１は、ＡＭＦ１内に記憶されるすべてのＵＥのコンテキスト情報をＡＭＦ２に送り、さらに、ＡＭＦ１のＡＭＦ  ＩＤ（表２に示される「００」）を、後でＡＭＦ２の新しいＡＭＦ  ＩＤとして使用されるＡＭＦ２に送る必要がある。ＵＥのコンテキスト情報は、識別子（ＩＭＳＩまたは一時識別子など）、加入データ、認証などに関係する情報を含むセキュリティデータ、ＰＤＵセッション情報、ＳＭＦ情報、サービスポリシーなどのＵＥの情報を含む。ＡＭＦ１は、ＵＥのコンテキストをＡＭＦ２に送り、ＡＭＦ２がＵＥの接続性、セッションなどを正常に管理することを続けることができること、ならびにＡＭＦ変更がＵＥと５Ｇコアネットワークとの間の接続性およびサービスに影響を及ぼさないことを保証する。負荷再配置の後、ＡＭＦ２は、「００」および「０１」という２つのＡＭＦ  ＩＤを有する。後に、別のＵＥがＡＭＦ２に接続され、または登録されるとき、ＡＭＦ２はどちらかのＡＭＦ  ＩＤを選択して、ＵＥの一時識別子を割り振る。１つのメッセージを使用することによって、ＡＭＦ１がＡＭＦ２に移動されるＵＥのコンテキスト情報をＡＭＦ２に送り得、メッセージ内に過剰に大量の情報を含める必要があるとき、代替として、情報が転送のために複数のメッセージに分割され得ることに留意されたい。移動されるべきＵＥのコンテキスト情報が、１つまたは複数のデバイスレベルメッセージを使用することによって、２つのネットワーク要素またはデバイス、ＡＭＦ１およびＡＭＦ２の間で送信され、それぞれの移動されるべきＵＥに特有のメッセージを送ることを回避し、ＡＭＦ１とＡＭＦ２との間のシグナリングオーバヘッドを低減する。
【００４７】
３０３。ＡＭＦ１はＲＡＮにメッセージを送り、メッセージは少なくともＡＭＦルーティング情報を含む。ＡＭＦルーティング情報は、ＡＭＦルーティングテーブル内のＡＭＦ  ＩＤとＡＭＦアドレスとの間の対応をＲＡＮに更新させるように意図される。後に、ＵＥによって送られたアップリンクＮＡＳメッセージを受信するとき、ＲＡＮは、ＵＥの一時識別子内のＡＭＦ  ＩＤ情報に基づいて、更新されたＡＭＦルーティングテーブルを照会し、更新されたＡＭＦルーティングテーブル内で指定されるアドレスにＮＡＳメッセージを送る。ＡＭＦルーティング情報の特定のフォーマットは、本願のこの実施形態では限定されず、具体的には、表２に示される、完全な更新されたＡＭＦルーティングテーブルであり得る。しかしながら、シグナリングおよび送信オーバヘッドを考慮して、代替として、ＡＭＦルーティング情報は、表２のＡＭＦ１のルーティング情報およびＡＭＦ２のルーティング情報のみを含み得る。代替として、ＡＭＦルーティングテーブルの更新は、情報要素を使用して示され得る。例えば、情報要素は、負荷再配置のための元のＡＭＦのＡＭＦ  ＩＤ（００）と、負荷再配置のためのターゲットＡＭＦの任意の１つのＡＭＦ  ＩＤ（０１など）を搬送し、または負荷再配置のための元のＡＭＦのＡＭＦ  ＩＤ（００）と、ＲＡＮに関連する負荷再配置のためのターゲットＡＭＦのアドレス（ＲＡＮに関連するＡＭＦ２のアドレス）を搬送して、最新のＡＭＦルーティング情報をＲＡＮに示す。ＡＭＦ  ＩＤの長さが変化したとき、ＡＭＦ１はまた、元のＡＭＦの更新されたＡＭＦ  ＩＤをＲＡＮに送る必要がある。
【００４８】
ＲＡＮへのシグナリング接続を確立したＵＥについて、ＲＡＮはＵＥのコンテキストを記憶しており、ＲＡＮ内に記憶されたＵＥのコンテキストは、ＵＥの一時識別子から取られたＡＭＦ  ＩＤと、ＲＡＮに関連する、ＵＥに現在サービスしているＡＭＦのアドレスとを含むことに留意されたい。ＲＡＮが、ＵＥのコンテキスト内のＲＡＮに関連するＡＭＦのアドレスに基づいて、ＵＥのアップリンクメッセージをＡＭＦルーティングテーブル内で指定されるＡＭＦに転送できることを保証するために、ＡＭＦルーティング情報を受信するとき、ＲＡＮはさらに、ＡＭＦルーティング情報に基づいてＵＥのコンテキストをリフレッシュする必要がある。例えば、この実施形態では、ＲＡＮは、ＵＥのコンテキスト内のＡＭＦ  ＩＤが００である記録を探索し、記録内に記録されるＲＡＮに関連する、ＵＥに現在サービスしているＡＭＦのアドレスを、ＲＡＮに関連するＡＭＦ２のアドレスにリフレッシュし、またはＲＡＮに関連する、ＵＥに現在サービスしているＡＭＦのアドレスを無効値にリフレッシュし、次回にＵＥのアップリンクメッセージを受信するとき、ＡＭＦルーティングテーブルに照会して、ＲＡＮに関連するＡＭＦ２のアドレスを取得する必要がある。さらに、ＲＡＮを使用することによってＡＭＦ１への接続を確立しており、それについてのシグナリング手順が実施されているＵＥ、例えば位置更新手順またはアタッチ手順でのＵＥについて、これらのＵＥについての例外処理を実施するように、具体的にはＵＥのシグナリング手順が終了した後にＵＥのコンテキスト情報を更新するようにＲＡＮに命令するために、ＡＭＦ１は、３０３でのメッセージ内に、これらのＵＥの識別子、例えばＲＡＮによってＵＥに割り振られた一時識別子をさらに含み得る。それに対応して、ＵＥのシグナリング手順が終了した後、ＡＭＦ１がシャットダウンされる。
【００４９】
３０４。ＡＭＦ１は、移動されるべきＵＥのコンテキスト情報を削除し、シャットダウン動作を実施する。
【００５０】
３０５。ＵＥは、ＲＡＮにアップリンクＮＡＳメッセージを送る。あるケースでは、ＵＥは、ＮＡＳメッセージに一時識別子を追加しない（このメッセージを送る前に、ＵＥがＲＡＮへの接続を確立した場合）。別のケースでは、ＵＥは、ＮＡＳメッセージに一時識別子を追加する（このメッセージが、ＵＥがＲＡＮへの接続を確立するための最初のメッセージである場合）。
【００５１】
３０６。ＲＡＮは、ＵＥによって送られたアップリンクＮＡＳメッセージを受信し、またはＵＥに関係するアップリンクメッセージの送信をローカルにトリガし、ＲＡＮは以下の動作を実施する。
【００５２】
ＲＡＮがＵＥのコンテキスト情報を記憶しており（３０５でメッセージを送る前に、ＵＥがＲＡＮへの接続を確立している場合）、ＵＥのコンテキスト情報がＲＡＮに関連するＡＭＦのアドレスを含む場合、ＲＡＮは、ＲＡＮに関連するＡＭＦのアドレスに基づいて、対応するＡＭＦにメッセージを送る。
【００５３】
ＲＡＮがＵＥのコンテキスト情報を記憶しており、ＵＥのコンテキスト情報内のＲＡＮに関連するＡＭＦのアドレスが無効値である場合、ＲＡＮは、ＵＥのコンテキスト内に記録されたＡＭＦ  ＩＤ、またはＵＥの一時識別子から取られたＡＭＦ  ＩＤに基づいて、更新されたＡＭＦルーティングテーブルに照会し、ＲＡＮに関連するＡＭＦのアドレスを取得し、ＲＡＮに関連するＡＭＦのアドレスに対応するＡＭＦにメッセージを送る。
【００５４】
ＲＡＮがＵＥのコンテキスト情報を記憶していない場合、ＲＡＮは、ＵＥによって搬送される一時識別子内のＡＭＦ  ＩＤ＋ＵＥ  ＩＤと、更新されたＡＭＦルーティングテーブル内のＡＭＦ  ＩＤの長さ（ビットの量）とに基づいて、ＵＥの一時識別子からＡＭＦ  ＩＤを取り、更新されたＡＭＦルーティングテーブルに照会して、ＲＡＮに関連するＡＭＦのアドレスを取得し、ＲＡＮに関連するＡＭＦのアドレスに対応するＡＭＦにメッセージを送る。
【００５５】
ＲＡＮがＵＥのコンテキスト情報を記憶しておらず、ＵＥが５Ｇコアネットワークに初めて接続され、ＵＥによって送られたメッセージが一時識別子を含まない場合、ＲＡＮは、ローカルに構成された規則または別のロードバランシング規則に従うアクセスのために、ＵＥについてのＡＭＦを選択する。
【００５６】
本願のこの実施形態で提供される方法によれば、ＡＭＦがその負荷を再配置する必要があるとき、ＡＭＦは、デバイスレベルメッセージを使用することによって、ＡＭＦルーティングテーブルおよび関連するＵＥのコンテキスト情報を更新するようにＲＡＮに命令し、ＡＭＦは、各ＵＥについてＲＡＮに更新メッセージを送る必要がないということが知られることができる。これはシグナリングオーバヘッドを低減し、負荷再配置効率を改善する。ＲＡＮはまた、ＲＡＮにＵＥについてのＡＭＦを再選択させるために位置更新手順を開始するようにＵＥに命令する必要がない。これはエアインターフェースシグナリングを低減し、エアインターフェースリソースを節約する。ＲＡＮは、ＡＭＦ間のリダイレクションの必要なしに、ローカルに記憶されたＡＭＦルーティングテーブルを更新することによって、負荷再配置後にＵＥのコンテキストを記憶するＡＭＦを直接的に見つけることができる。さらに、ＲＡＮが行う必要があるのは、ＡＭＦ間のロードバランシングを保証するために、ＡＭＦルーティングテーブルに基づいてＵＥのメッセージを転送することだけである。これは、ＲＡＮによるメッセージ転送の複雑さを簡略化する。
【００５７】
Ｏ＆Ｍエンティティが負荷再配置手順に参加するとき、例えば、負荷再配置のための元のＡＭＦおよびターゲットＡＭＦと、その負荷が再配置されるべきＡＭＦ１のＡＭＦ  ＩＤとがＯ＆Ｍエンティティによって決定されるとき、代替として、図３ａで説明されるＡＭＦ１のいくつかの機能が、Ｏ＆Ｍエンティティによって実装され得ることに留意されたい。例えば、ステップ３０２では、Ｏ＆Ｍエンティティは、その負荷が再配置されるべきＡＭＦのＡＭＦ  ＩＤをＡＭＦ２に送り得、ステップ３０３では、Ｏ＆Ｍエンティティは、更新されたルーティング情報をＲＡＮに送り得る。特定の手順が図３ｂに示されている。
【００５８】
ステップ３０１ａ１では、Ｏ＆Ｍエンティティは、現ネットワーク内のＡＭＦの負荷ステータスに基づいて、ＡＭＦ１のすべての負荷をＡＭＦ２に再配置することを決定する。Ｏ＆Ｍエンティティは、ＡＭＦ１のＡＭＦ  ＩＤ（００）（ＡＭＦ１は現在ただ１つのＡＭＦ  ＩＤを有するので、ＡＭＦ  ＩＤはＡＭＦ１のすべての負荷を示す）と、ＡＭＦ１に関連するＡＭＦ２のアドレスまたはＡＭＦ２の識別子（例えば、０１）とをＡＭＦ１に送り、ＡＭＦ  ＩＤ（００）に対応するＵＥをＡＭＦ２にハンドオーバするようにＡＭＦ１に命令する。
【００５９】
任意選択で、ステップ３０１ａ２では、代替として、Ｏ＆Ｍエンティティは、ＡＭＦ１のＡＭＦ  ＩＤ（００）をＡＭＦ２に送るようにＡＭＦ１を置き換え得、その結果、ＡＭＦ２は、負荷再配置後にＡＭＦ  ＩＤ（００）を使用する。
【００６０】
ステップ３０３ａ３では、Ｏ＆Ｍエンティティは、ＲＡＮにＡＭＦルーティング情報を送る。ＡＭＦルーティング情報の特定の説明については、図３ａのステップ３０３での説明を参照されたい。
【００６１】
図３ｂのステップ３０１から３０６は、図３ａのステップ３０１から３０６と本質的に同じである。違いは、図３ｂでは、Ｏ＆Ｍエンティティがその負荷が再配置されるべきＡＭＦ１のＡＭＦ  ＩＤ（００）をＡＭＦ２に送ったので、ＡＭＦ１が行う必要があるのは、３０２でメッセージ内の移動されるべきＵＥのコンテキストを転送することだけであること、およびＯ＆Ｍエンティティはステップ３０３ａ３でＲＡＮにＡＭＦルーティング情報を送ったので、ＡＭＦ１はもはやＲＡＮにＡＭＦルーティング情報を送る必要がないことにある。
【００６２】
図３ａおよび図３ｂでは、ＵＥのコンテキスト情報は、ＡＭＦ１とＡＭＦ２との間で直接的に転送される。実際のネットワーク配置では、代替として以下の方式が使用され得る。まずＡＭＦ１が、データ記憶機能を有するデバイス内にＵＥのコンテキスト情報を記憶し、次いでＡＭＦ２が、データ記憶デバイスからＵＥのコンテキストを取得する。
【００６３】
図４は、ＵＤＳＦ（Ｕｎｓｔｒｕｃｔｕｒｅｄ  Ｄａｔａ  Ｓｔｏｒａｇｅ  Ｆｕｎｃｔｉｏｎ、非構造化データ記憶機能）を使用することによってＵＥのコンテキスト情報がＡＭＦ１とＡＭＦ２との間で転送される、負荷再配置のフローチャートである。図４で説明されるサービスシナリオ、およびシステムについての仮定は、図３ａで説明される実施形態と同じである。以下は、図４に示されるフローチャートと、図３ａに示されるフローチャートとの間の違いだけを説明する。図４と図３ａの同じ部分は、本明細書では再び説明されない。
【００６４】
４０１。３０１の説明を参照されたい。
【００６５】
４０２。ＡＭＦ１は、ＡＭＦ１によってサービスされるＵＥのコンテキスト情報を記憶のためにＵＤＳＦに送る。ＵＥのコンテキストの説明については、３０２を参照されたい。３０２とは異なり、図４では、運用および保守システム（例えば、Ｏ＆Ｍ）が、ＡＭＦ  ＩＤを更新するようにＡＭＦ２に命令し、更新の後、ＡＭＦ  ＩＤは０００および００１を含む。もちろん、代替として、ＡＭＦ１が、ＡＭＦ  ＩＤを更新するようにＡＭＦ２に命令し、具体的には、元のＡＭＦ１のＡＭＦ  ＩＤ（０００）をＡＭＦ２のＡＭＦ  ＩＤとして後に使用するようにＡＭＦ２に命令し得る。
【００６６】
４０３。ＡＭＦ１またはＯ＆Ｍが、ＲＡＮにＡＭＦルーティング情報を送る。ＡＭＦルーティング情報の詳細については、３０３での説明を参照されたい。さらに、ＡＭＦ１はさらに、ＵＥのコンテキストの更新情報をＲＡＮに送る必要がある。ＵＥのコンテキストの更新情報については、３０３での説明を参照されたい。
【００６７】
４０４。ＡＭＦ１が、移動されるべきＵＥのコンテキスト情報を削除し、シャットダウン動作を実施する。
【００６８】
４０５および４０６。３０５および３０５での説明を参照されたい。
【００６９】
４０７。ＡＭＦ２が、ＲＡＮによって送られたＵＥのアップリンクメッセージを受信し、ＵＥにサービスすることを続けるように、メッセージ内で搬送されたＵＥの一時識別子に基づいて、ＵＤＳＦからＵＥのコンテキストを読み取る。
【００７０】
図３ａおよび図４は、ＡＭＦの負荷が再配置されているとき、ＵＥのアップリンクメッセージの通常の処理を保証するためにＡＭＦルーティングテーブルが使用されるメッセージング手順を説明する。本願のこの実施形態で提供されるＡＭＦルーティングテーブルに基づく負荷配置のための解決策はまた、ＡＭＦの負荷が再配置された後、ＵＥのダウンリンクサービスまたはダウンリンクメッセージが影響を受けないことも保証できる。
【００７１】
図３ａのサービスシナリオおよび５Ｇコアネットワーク構成に基づいて、図５は、ＵＥに関係するダウンリンクメッセージを受信したとき、ＳＭＦが正しいＡＭＦを見つけることができるように、どのようにＡＭＦがＳＭＦ内のコンテキストを更新するかを説明する。図５は、ＡＭＦが負荷再配置のためにシャットダウンされる一例を使用する。しかしながら、この方法手順は、ＡＭＦアップスケーリングやＡＭＦダウンスケーリングなどの他のサービスシナリオでトリガされる負荷再配置にも適用可能である。
【００７２】
５０１。オペレータポリシーに従って、ＡＭＦ１をシャットダウンし、負荷再配置を実施することを決定する。
【００７３】
５０２。ＡＭＦ１は、システムプランニング（例えば、Ｏ＆Ｍの命令）に従って、その負荷をＡＭＦ２に再配置することを決定し、ＡＭＦ１は、ＵＥのコンテキスト情報をＡＭＦ２に転送する。詳細については、３０２での説明を参照されたい。
【００７４】
５０３。ＡＭＦ１は、ＲＡＮにＡＭＦルーティング情報を送る。詳細については、３０３での説明を参照されたい。
【００７５】
５０４。ＡＭＦは、ＳＭＦにルーティング更新メッセージを送り、更新メッセージは、少なくとも、ＵＥのＳＵＰＩ（Ｓｕｂｓｃｒｉｂｅｒ  Ｐｅｒｍａｎｅｎｔ  Ｉｄｅｎｔｉｔｙ、加入者永続識別）と、ＳＭＦに関連する、ＵＥが移動されるべきターゲットＡＭＦのアドレス（すなわち、ＳＭＦに関連するＡＭＦ２のアドレス）、またはＵＥのＳＵＰＩ（Ｓｕｂｓｃｒｉｂｅｒ  Ｐｅｒｍａｎｅｎｔ  Ｉｄｅｎｔｉｔｙ、加入者永続識別）と、ＡＭＦ２の識別子（ＳＭＦは、ＡＭＦ２の識別子に基づいて、ＳＭＦに関連するＡＭＦ２のアドレスを取得することができる）を含む。ＳＭＦはメッセージを受信し、ＳＵＰＩに基づいて、ＵＥの対応するコンテキスト情報を取り出し、ＵＥのコンテキスト情報内に保存されたＡＭＦのアドレスを更新し、後にＵＥのダウンリンクメッセージを受信するとき、ＡＭＦ２にメッセージを転送する。ＳＭＦ内に記憶されたＵＥのコンテキスト情報がＡＭＦ  ＩＤを含むとき、代替として、ルーティング更新メッセージは別の実装を有し得る。例えば、ＡＭＦ１は、元のＡＭＦ  ＩＤ（００）と、ＳＭＦに関連するターゲットＡＭＦのアドレス、または元のＡＭＦ  ＩＤ（００）と、ターゲットＡＭＦの識別子をＳＭＦに送り得る。メッセージを受信した後、ＳＭＦは、すべてのＵＥのコンテキストを走査して、コンテキスト内のＡＭＦ  ＩＤが「００」であるＵＥについて、ＵＥのコンテキスト内に保存される、ＳＭＦに関連するＡＭＦのアドレスを更新し得る。ＡＭＦ  ＩＤの長さが再配置後に変化するとき、ＡＭＦはさらに、元のＡＭＦ  ＩＤと、ＳＭＦに関連するターゲットＡＭＦのアドレス、またはターゲットＡＭＦの識別子とに加えて、更新されたＡＭＦ  ＩＤをＳＭＦに送る必要がある。表４に示されるシナリオでは、ＡＭＦ１がＡＭＦ  ＩＤが「００１」であるＵＥをＡＭＦ５にハンドオーバするとき、ＡＭＦは、元のＡＭＦ  ＩＤ（００）と、ＳＭＦに関連するＡＭＦ５のアドレス、またはＡＭＦ５の識別子と、更新されたＡＭＦ  ＩＤ（００１）とをＳＭＦに送る必要がある。ＵＥの異なるコンテキスト情報が、異なるデバイスまたはネットワーク要素内に記憶されることに留意されたい。ＲＡＮ内に記憶されたＵＥのコンテキストは、ＳＭＦ内に記憶されたＵＥのコンテキストとは異なる。さらに、５０３でのメッセージおよび５０４でのメッセージは、特定の順序で送られるわけではない。
【００７６】
５０５。ＡＭＦ１がシャットダウンされる。
【００７７】
５０６および５０７。ＳＭＦがＵＥのダウンリンクメッセージを受信し、ＳＵＰＩに基づいて照会を実施してＡＭＦアドレスを取得し、メッセージをＡＭＦ２に送る。
【００７８】
図５に示される方法によれば、ＡＭＦがＵＥをターゲットＡＭＦにハンドオーバすることを決定した後、ＡＭＦはＳＭＦにメッセージを送り、ＳＭＦ−ＡＭＦルーティング情報を更新する。後に、ダウンリンクトリガを受信したとき、ＳＭＦは、ＵＥの更新されたコンテキストに基づいて、ＵＥが移動された、対応するＡＭＦを見つけることができ、それによって、メッセージリダイレクションを回避する。さらに、この実施形態では、ＡＭＦによってＳＭＦに送られるメッセージは、ネットワーク要素レベルメッセージであり、ＳＭＦのすべてのＵＥのコンテキストが一度に更新され、それによって、メッセージの量を低減し、シグナリングオーバヘッドを低減する。
【００７９】
上記は主に、様々なネットワーク要素間の対話に関連して、本願の実施形態で提供される解決策を説明する。上記の機能を実装するために、ネットワーク要素、例えばＵＥ、基地局、およびコアネットワークエンティティがすべて、機能を実施するための対応するソフトウェア構造および／またはソフトウェアモジュールを含むことを理解することができる。本明細書で開示される実施形態を参照しながら説明される例でのユニットおよびアルゴリズムステップが、ハードウェア、またはハードウェアとコンピュータソフトウェアの組合せによって実装され得ることを当業者は容易に気付くはずである。機能がハードウェアによって実施されるか、それともコンピュータソフトウェアによって駆動されるハードウェアによって実施されるかは、技術的解決策の特定の適用分野および設計制約に依存する。当業者は、それぞれの特定の適用分野について記載の機能を実装するために異なる方法を使用し得るが、実装が本願の範囲を越えると見なされるべきではない。
【００８０】
図６に示されるように、上記の方法実施形態でのデバイス、ネットワーク要素、またはＲＡＮ、ＡＭＦ、ＳＭＦ、Ｏ＆Ｍなどのエンティティはすべて、図６のコンピュータデバイス（またはシステム）によって実装され得る。
【００８１】
図６は、本願の一実施形態によるコンピュータデバイスの概略図である。コンピュータデバイス６００は、少なくとも１つのプロセッサ６０１、通信バス６０２、メモリ６０３、および少なくとも１つの通信インターフェース６０４を含む。
【００８２】
プロセッサ６０１は、本願の解決策でのプログラムの実行を制御するための汎用中央演算処理装置（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎーｓｐｅｃｉｆｉｃ  ｉｎｔｅｇｒａｔｅｄ  ｃｉｒｃｕｉｔ、ＡＳＩＣ）、あるいは１つまたは複数の集積回路であり得る。
【００８３】
通信バス６０２は、上記の構成要素間で情報を転送するための経路を含み得る。
【００８４】
通信インターフェース６０４は、受信機などの任意の装置を使用することによって、別のデバイス、またはイーサネット、無線アクセスネットワーク（ｒａｄｉｏ  ａｃｃｅｓｓ  ｎｅｔｗｏｒｋ、ＲＡＮ）、ワイヤレスローカルエリアネットワーク（ｗｉｒｅｌｅｓｓ  ｌｏｃａｌ  ａｒｅａ  ｎｅｔｗｏｒｋ、ＷＬＡＮ）などの通信ネットワークと通信するように構成される。
【００８５】
メモリ６０３は、限定はされないが、読取り専用メモリ（ｒｅａｄ−ｏｎｌｙ  ｍｅｍｏｒｙ、ＲＯＭ）もしくは静的情報および命令を記憶することのできる他のタイプの静的記憶デバイス、またはランダムアクセスメモリ（ｒａｎｄｏｍ  ａｃｃｅｓｓ  ｍｅｍｏｒｙ、ＲＡＭ）もしくは情報および命令を記憶することのできる他のタイプの動的記憶デバイスであり得、あるいは電気消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）もしくは他の光ディスクストレージ、光ディスクストレージ（コンパクトディスク、レーザディスク、光ディスク、デジタルバーサタイルディスク、Ｂｌｕｅ−ｒａｙディスクなど）、磁気ディスク記憶媒体もしくは他の磁気記憶デバイス、または命令もしくはデータ構造の形態の予想されるプログラムコードを搬送または記憶するのに使用することができ、コンピュータによってアクセスすることができる任意の他の媒体であり得る。メモリは独立して存在し得、バスを使用してプロセッサに接続される。代替として、メモリはプロセッサと統合され得る。
【００８６】
メモリ６０３は、本願の解決策を実行するためのアプリケーションプログラムコードを記憶するように構成され、プロセッサ６０１は実行を制御する。プロセッサ６０１は、特許方法での機能を実装するように、メモリ６０３内に記憶されたアプリケーションプログラムコードを実行するように構成される。
【００８７】
特定の実装では、一実施形態では、プロセッサ６０１は、１つまたは複数のＣＰＵ、例えば図６のＣＰＵ０およびＣＰＵ１を含み得る。
【００８８】
特定の実装では、一実施形態では、コンピュータデバイス６００は、複数のプロセッサ、例えば図６のプロセッサ６０１およびプロセッサ６０８を含み得る。これらのプロセッサのそれぞれは、シングルコア（シングルＣＰＵ）プロセッサであり得、またはマルチコア（マルチＣＰＵ）プロセッサであり得る。本明細書のプロセッサは、データ（例えば、コンピュータプログラム命令）を処理するための１つまたは複数のデバイス、回路、および／または処理コアであり得る。
【００８９】
特定の実装では、一実施形態では、コンピュータデバイス６００は、出力デバイス６０５および入力デバイス６０６をさらに含み得る。出力デバイス６０５は、プロセッサ６０１と通信し、複数の方式で情報を表示し得る。例えば、出力デバイス６０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、またはプロジェクタ（ｐｒｏｊｅｃｔｏｒ）であり得る。入力デバイス６０６はプロセッサ６０１と通信し、複数の方式でユーザ入力を受信し得る。例えば、入力デバイス６０６は、マウス、キーボード、タッチスクリーンデバイス、またはセンサデバイスであり得る。
【００９０】
コンピュータデバイス６００は汎用コンピュータデバイスまたは専用コンピュータデバイスであり得る。特定の実装では、コンピュータデバイス６００は、デスクトップコンピュータ、ポータブルコンピュータ、ネットワークサーバ、携帯情報端末（ｐｅｒｓｏｎａｌ  ｄｉｇｉｔａｌ  ａｓｓｉｓｔａｎｔ、ＰＤＡ）、携帯電話、タブレットコンピュータ、ワイヤレス端末デバイス、通信デバイス、組込みデバイス、または図６のデバイスと同様の構造を有するデバイスであり得る。コンピュータデバイス６００のタイプは、本願のこの実施形態では限定されない。
【００９１】
例えば、本発明の実施形態でのＲＡＮは、図６に示されるデバイスであり得る。ＲＡＮのメモリは、本発明の実施形態での方法を実施することのできるソフトウェアコードを記憶する。ＲＡＮのプロセッサは、メモリ内に記憶されたアプリケーションプログラムコードを実行し、特許方法でのＲＡＮの機能を実装する。
【００９２】
本願の実施形態では、ＲＡＮおよびアクセス管理エンティティは機能モジュールに分割され得る。例えば、各機能モジュールは１つの機能に対応し得、または２つ以上の機能が１つのモジュールに統合される。統合されたモジュールはハードウェアの形態で実装され得、またはソフトウェア機能モジュールの形態で実装され得る。本願の実施形態でのモジュール分割は一例であり、論理的機能分割に過ぎず、実際の実装では他の分割であり得ることに留意されたい。
【００９３】
図７は、上記の実施形態でのＲＡＮの可能な機能モジュールの概略図である。デバイス７００は、ＵＥトランシーバモジュール７０１、ネットワークトランシーバモジュール７０２、処理モジュール７０３、および記憶モジュール７０４を含む。ＵＥトランシーバモジュール７０１は、ＵＥと通信し、ＵＥにダウンリンクメッセージを送り、またはＵＥによって送られたアップリンクメッセージを受信するように構成される。ネットワークトランシーバモジュール７０２は、５Ｇコアネットワーク内のネットワーク要素またはデバイスと通信し、ＡＭＦまたはＯ＆Ｍによって送られたメッセージを受信し、あるいはＡＭＦまたはＯ＆Ｍにメッセージを送るように構成される。処理モジュール７０３は、７０１または７０２によって受信されたメッセージを処理し、あるいはＵＥまたは５Ｇコアネットワークに送られるべきメッセージを生成するように構成され、７０１または７０２を使用することによってメッセージが送られる。さらに、メッセージ処理で取得された情報、例えば本願の実施形態でのＡＭＦルーティングテーブルまたはＵＥのコンテキスト情報が、記憶モジュール７０４内に記憶される。記憶モジュール７０４は、処理モジュール７０３による処理または解析後に得られた情報を記憶し、処理モジュール７０３が情報照会を実施するためのインターフェースを提供するように構成される。例えば、ＲＡＮがＵＥのアップリンクメッセージを受信したとき、処理モジュール７０３は、記憶モジュール７０４内のＡＭＦルーティングテーブルまたはＵＥのコンテキスト情報を照会し、ＲＡＮに関連するＡＭＦのアドレスを決定する。
【００９４】
機能モジュールは、ハードウェアの形態で実装され得、またはソフトウェア機能モジュールの形態で実装され得る。単純な実施形態では、図６に示される形態がＲＡＮ７００のために使用され得ることを当業者は理解し得る。例えば、図７の処理モジュール７０３は、図６のプロセッサ６０１によってメモリ６０３内のコードを起動することによって実装され得る。これは、本願のこの実施形態では限定されない。
【００９５】
図８は、受信機８０１、プロセッサ８０２、メモリ８０３、および通信モジュール８０４を含む、上記の実施形態でのＲＡＮの可能な概略構造図である。受信機８０１は、上記の実施形態でのＵＥへの／からの情報の送信／受信をサポートするように構成される。プロセッサ８０２は、ＵＥと通信するための様々な機能を実施する。アップリンク上で、ＵＥからのアップリンク信号がアンテナによって受信され、受信機８０１によって復調され、ＵＥによって送られたサービスデータおよびシグナリング情報を回復するためにプロセッサ８０２によってさらに処理される。ダウンリンク上で、サービスデータおよびシグナリングメッセージがプロセッサ８０２によって処理され、送信機８０１によって復調され、ダウンリンク信号が生成され、ダウンリンク信号がアンテナによってＵＥに送信される。プロセッサ８０２はまた、図３ａから図５のＲＡＮに関係する処理および／または本願で説明される技術のために使用される他の処理を実施する。メモリ８０３は、基地局のプログラムコードおよびデータ（例えば、ＡＭＦルーティング情報およびＵＥのコンテキスト情報）を記憶するように構成される。通信モジュール８０４は、他のネットワークエンティティと通信する際に、ＲＡＮをサポートするように構成され、例えば、図１に示されるアクセス管理エンティティ、例えば５Ｇコアネットワーク内のＡＭＦと通信する際にＲＡＮをサポートするように構成される。
【００９６】
図９は、上記の実施形態での通信ネットワークエンティティ、例えば元のアクセス管理エンティティまたは運用および保守エンティティの可能な機能モジュールの概略図である。通信ネットワークエンティティ９００は通信モジュール９０１および決定モジュール９０２を含む。通信モジュール９０１は、外部エンティティ、例えばＲＡＮおよびターゲットアクセス管理エンティティと通信するように構成される。決定モジュール９０２は、負荷再配置のためのターゲットアクセス管理エンティティを決定し、通信モジュールを使用することによって、元のアクセス管理エンティティの識別子とＲＡＮに関連するターゲットアクセス管理エンティティのアドレスとの間の対応をＲＡＮに送るように構成され、その結果、ＲＡＮは、ＵＥのメッセージ内で搬送される元のアクセス管理エンティティの識別子に基づいて、またはＲＡＮ内に記憶されるＵＥに現在サービスしている元のアクセス管理エンティティの識別子に基づいて、ＲＡＮに関連するターゲットアクセス管理エンティティのアドレスに、ＵＥからのメッセージを送る。決定モジュール９０２は、再配置のための元のアクセス管理エンティティの識別子を決定し、通信モジュール９０１を使用することによってターゲットアクセス管理エンティティに識別子を送るようにさらに構成され、その結果、ターゲットアクセス管理エンティティは、負荷再配置後に元のアクセス管理エンティティの識別子をターゲットアクセス管理エンティティの識別子として使用する。通信ネットワークエンティティ９００が元のアクセス管理エンティティであるとき、決定モジュール９０２は、移動されるべきＵＥのコンテキストを決定し、通信モジュール９０１を使用することによって、ターゲットアクセス管理エンティティまたはデータ記憶機能エンティティに、移動されるべきＵＥのコンテキストを送るようにさらに構成される。さらに、通信モジュール９０１は、ＵＥに現在サービスしているセッション管理エンティティと通信するようにさらに構成される。決定モジュール９０２は、元のアクセス管理エンティティの識別子とセッション管理エンティティに関連するターゲットアクセス管理エンティティのアドレスとの間の対応を決定し、通信モジュール９０１を使用することによってセッション管理エンティティに対応を送るようにさらに構成される。通信ネットワークエンティティ９００が運用および保守エンティティであるとき、通信モジュール９０１はさらに、元のアクセス管理エンティティと通信し、再配置のための元のアクセス管理エンティティの識別子と、元のアクセス管理エンティティに関連するターゲットアクセス管理エンティティのアドレスとを元のアクセス管理エンティティに送る必要がある。元のアクセス管理エンティティの識別子は、移動されるべきＵＥを決定するために元のアクセス管理エンティティによって使用される。元のアクセス管理エンティティに関連するターゲットアクセス管理エンティティのアドレスは、元のアクセス管理エンティティが、移動されるべきＵＥのコンテキストをターゲットアクセス管理エンティティに送る助けとなる。
【００９７】
機能モジュールは、ハードウェアの形態で実装され得、またはソフトウェア機能モジュールの形態で実装され得る。単純な実施形態では、図６に示される形態が通信ネットワークエンティティ９００のために使用され得ることを当業者は理解し得る。例えば、図９の決定モジュール９０２は、図６のプロセッサ６０１によってメモリ６０３内のコードを起動することによって実装され得る。これは、本願のこの実施形態では限定されない。
【００９８】
上記の実施形態のすべてまたは一部は、ソフトウェア、ハードウェア、ファームウェア、またはそれらの任意の組合せを使用することによって実装され得る。ソフトウェアが実施形態を実装するのに使用されるとき、実施形態は、完全に、または部分的に、コンピュータプログラム製品の形態で実装され得る。コンピュータプログラム製品は１つまたは複数のコンピュータ命令を含む。コンピュータプログラム命令がロードされ、コンピュータ上で実行されるとき、本願の実施形態による手順または機能が、すべて、または部分的に生成される。コンピュータは、汎用コンピュータ、専用コンピュータ、コンピュータネットワーク、または他のプログラム可能装置であり得る。コンピュータ命令は、コンピュータ可読記憶媒体内に記憶され得、またはコンピュータ可読記憶媒体から別のコンピュータ可読記憶媒体に送信され得る。例えば、コンピュータ命令は、ワイヤード（例えば、同軸ケーブル、光ファイバ、またはデジタル加入者線（ＤＳＬ）通じて）またはワイヤレス（例えば、赤外線、無線、またはマイクロ波を通じて）な方式で、ウェブサイト、コンピュータ、サーバ、またはデータセンタから別のウェブサイト、コンピュータ、サーバ、またはデータセンタに送信され得る。コンピュータ可読記憶媒体は、コンピュータによってアクセス可能な任意の使用可能な媒体、または１つまたは複数の使用可能な媒体を統合する、サーバやデータセンタなどのデータ記憶デバイスであり得る。使用可能な媒体は、磁気媒体（例えば、フロッピィディスク、ハードディスク、または磁気テープ）、光媒体（例えば、ＤＶＤ）、半導体媒体（例えば、ソリッドステートディスク、Ｓｏｌｉｄ  Ｓｔａｔｅ  Ｄｉｓｋ（ＳＳＤ））などであり得る。
【００９９】
本願の目的、技術的解決策、および利点は、上記の特定の実施形態で詳細にさらに説明される。上記の説明は本願の特定の実装に過ぎず、本願の保護範囲を限定することは意図されないことを当業者は理解されたい。本願の技術的解決策に基づいて行われる任意の修正、等価な置換、または改善は、本願の保護範囲内に包含されるものとする。特許請求の範囲では、「備える、含む（ｃｏｍｐｒｉｓｉｎｇ）」という語は他の構成要素またはステップを除外するものではなく、「ａ」または「１つ（ｏｎｅ）」は複数を除外するものではない。単一のプロセッサまたは他のユニットが、特許請求の範囲で列挙されるいくつかの機能を実装し得る。互いに異なるいくつかの方策が従属請求項に記述されるが、これは、これらの方策が良好な効果を生み出すように組み合わされることができないことを意味するものではない。
【図１ａ】
2020504541.tif 000008
【図１ｂ】
2020504541.tif 000009
【図２】
2020504541.tif 000010
【図３ａ】
2020504541.tif 000011
【図３ｂ】
2020504541.tif 000012
【図４】
2020504541.tif 000013
【図５】
2020504541.tif 000014
【図６】
2020504541.tif 000015
【図７】
2020504541.tif 000016
【図８】
2020504541.tif 000017
【図９】
2020504541.tif 000018
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
元のアクセス管理エンティティによってサービスされる一部のまたはすべてのＵＥがターゲットアクセス管理エンティティに移動されるシナリオに適用される負荷再配置方法であって、
通信ネットワークエンティティによって前記ターゲットアクセス管理エンティティを決定するステップと、
前記通信ネットワークエンティティによって、前記元のアクセス管理エンティティの識別子およびアクセスネットワークエンティティに関連する前記ターゲットアクセス管理エンティティのアドレス、または前記元のアクセス管理エンティティの識別子および前記ターゲットアクセス管理エンティティの識別子を前記アクセスネットワークエンティティに送り、前記アクセスネットワークエンティティは、前記ＵＥからのメッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記ＵＥからの前記メッセージを前記ターゲットアクセス管理エンティティに送るステップと
を含む方法。
【請求項２】
前記通信ネットワークエンティティによって、ターゲットアクセス管理エンティティに前記元のアクセス管理エンティティの前記識別子を送り、前記元のアクセス管理エンティティによってサービスされる前記一部のまたはすべてのＵＥが前記ターゲットアクセス管理エンティティに移動された後、前記ターゲットアクセス管理エンティティは、前記元のアクセス管理エンティティの前記識別子を、前記ＵＥにサービスするための前記ターゲットアクセス管理エンティティの識別子として選択するステップ
をさらに含む請求項１に記載の方法。
【請求項３】
前記通信ネットワークエンティティは前記元のアクセス管理エンティティであり、前記方法は、
前記元のアクセス管理エンティティによって、前記ＵＥのコンテキストを前記ターゲットアクセス管理エンティティまたはデータ記憶機能エンティティに送り、前記ターゲットアクセス管理エンティティは、前記データ記憶機能エンティティから受信され、または取得される前記ＵＥの前記コンテキストに基づいて前記ＵＥにサービスするステップ
をさらに含む請求項１または２に記載の方法。
【請求項４】
前記通信ネットワークエンティティは前記元のアクセス管理エンティティであり、前記方法は、
前記元のアクセス管理エンティティによって、前記元のアクセス管理エンティティの前記識別子およびセッション管理エンティティに関連する前記ターゲットアクセス管理エンティティのアドレス、または前記元のアクセス管理エンティティの前記識別子および前記ターゲットアクセス管理エンティティの識別子を、前記ＵＥに現在サービスしている前記セッション管理エンティティに送り、前記セッション管理エンティティは、前記元のアクセス管理エンティティの前記識別子に基づいて、前記ＵＥに宛てられたメッセージを前記ターゲットアクセス管理エンティティに送るステップ
をさらに含む請求項１乃至３のいずれか一項に記載の方法。
【請求項５】
前記通信ネットワークエンティティは運用および保守エンティティであり、前記方法は、
前記運用および保守エンティティによって、前記元のアクセス管理エンティティの前記識別子および前記元のアクセス管理エンティティに関連する前記ターゲットアクセス管理エンティティのアドレス、または前記元のアクセス管理エンティティの前記識別子および前記ターゲットアクセス管理エンティティの前記識別子を前記元のアクセス管理エンティティに送るステップであって、前記元のアクセス管理エンティティの前記識別子が、前記元のアクセス管理エンティティが前記移動されるべきＵＥを決定するのを助けるために使用され、前記元のアクセス管理エンティティに関連する前記ターゲットアクセス管理エンティティの前記アドレス、または前記ターゲットアクセス管理エンティティの前記識別子が、前記元のアクセス管理エンティティが前記ターゲットアクセス管理エンティティに前記移動されるべきＵＥのコンテキストを送るのを助けるために使用されるステップ
をさらに含む請求項１または２に記載の方法。
【請求項６】
元のアクセス管理エンティティによってサービスされる一部のまたはすべてのＵＥがターゲットアクセス管理エンティティに移動されるシナリオに適用される負荷再配置方法であって、
アクセスネットワークエンティティによって、通信ネットワークエンティティによって送られる前記元のアクセス管理エンティティの識別子および前記アクセスネットワークエンティティに関連する前記ターゲットアクセス管理エンティティのアドレス、または通信ネットワークエンティティによって送られる前記元のアクセス管理エンティティの識別子および前記ターゲットアクセス管理エンティティの識別子を受信するステップと、
前記アクセスネットワークエンティティによって、前記ＵＥからメッセージを受信し、前記メッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記メッセージを前記ターゲットアクセス管理エンティティに送るステップと
を含む方法。
【請求項７】
前記アクセスネットワークエンティティによって、前記元のアクセス管理エンティティの前記受信された識別子に基づいて、前記ＵＥの更新されるべきコンテキストを決定するステップであって、前記ＵＥの前記更新されるべきコンテキスト内に含まれる前記ＵＥに現在サービスしているアクセス管理エンティティの識別子が、前記元のアクセス管理エンティティの前記識別子と同じであるステップと、
前記アクセスネットワークエンティティによって、前記アクセスネットワークエンティティに関連する、前記ＵＥにサービスする前記アクセス管理エンティティの、前記ＵＥの前記更新されるべきコンテキスト内に含まれるアドレスを無効値に設定するステップと
をさらに含む請求項６に記載の方法。
【請求項８】
前記アクセスネットワークエンティティによって、前記ＵＥからメッセージを受信し、前記メッセージ内で搬送される前記元のアクセス管理エンティティの前記識別子に基づいて、前記ターゲットアクセス管理エンティティに前記メッセージを送る前記ステップは特に、
前記アクセスネットワークエンティティによって、前記ＵＥからの前記メッセージを受信するステップと、
前記アクセスネットワークエンティティによって、前記メッセージから前記元のアクセス管理エンティティの前記識別子を取得し、前記元のアクセス管理エンティティの前記識別子に基づいて、前記アクセスネットワークエンティティに関連する前記ターゲットアクセス管理エンティティの前記アドレス、または前記ターゲットアクセス管理エンティティの前記識別子を決定するステップと、
前記アクセスネットワークエンティティによって、前記アクセスネットワークエンティティに関連する前記前記ターゲットアクセス管理エンティティの前記アドレスに前記メッセージを送り、または前記アクセスネットワークエンティティによって、前記ターゲットアクセス管理エンティティの前記識別子に基づいて、前記アクセスネットワークエンティティに関連する前記ターゲットアクセス管理エンティティの前記アドレスを決定し、前記アクセスネットワークエンティティに関連する前記ターゲットアクセス管理エンティティの前記アドレスに前記メッセージを送るステップと
を含む請求項６に記載の方法。
【請求項９】
前記通信ネットワークエンティティは前記元のアクセス管理エンティティまたは運用および保守エンティティである請求項６乃至８のいずれか一項に記載の方法。
【請求項１０】
元のアクセス管理エンティティによってサービスされる一部のまたはすべてのＵＥがターゲットアクセス管理エンティティに移動されるシナリオに適用される、負荷再配置のための通信ネットワークエンティティであって、
アクセスネットワークエンティティおよび前記ターゲットアクセス管理エンティティと通信するように構成された通信モジュールと、
負荷再配置のためのターゲットアクセス管理エンティティを決定し、前記通信モジュールを使用することによって、前記元のアクセス管理エンティティの識別子および前記アクセスネットワークエンティティに関連する前記ターゲットアクセス管理エンティティのアドレス、または前記元のアクセス管理エンティティの識別子および前記ターゲットアクセス管理エンティティの識別子を前記アクセスネットワークエンティティに送るように構成された決定モジュールであって、前記アクセスネットワークエンティティは、前記ＵＥからのメッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記ＵＥからの前記メッセージを前記ターゲットアクセス管理エンティティに送る決定モジュールと
を備える通信ネットワークエンティティ。
【請求項１１】
前記通信モジュールは、前記ターゲットアクセス管理エンティティに前記元のアクセス管理エンティティの前記識別子を送るようにさらに構成され、前記元のアクセス管理エンティティによってサービスされる前記一部のまたはすべてのＵＥが前記ターゲットアクセス管理エンティティに移動された後、前記ターゲットアクセス管理エンティティは、前記元のアクセス管理エンティティの前記識別子を、前記ＵＥにサービスするための前記ターゲットアクセス管理エンティティの識別子として選択する請求項１０に記載の通信ネットワークエンティティ。
【請求項１２】
前記通信ネットワークエンティティは前記元のアクセス管理エンティティであり、前記決定モジュールは、前記ＵＥのコンテキストを決定し、前記通信モジュールを使用することによって前記ターゲットアクセス管理エンティティに前記ＵＥの前記コンテキストを送るようにさらに構成され、前記ターゲットアクセス管理エンティティは、受信される前記ＵＥの前記コンテキストに基づいて前記ＵＥにサービスする請求項１０または１１に記載の通信ネットワークエンティティ。
【請求項１３】
前記通信ネットワークエンティティは前記元のアクセス管理エンティティであり、
前記通信モジュールは、データ記憶機能エンティティと通信するようにさらに構成され、
前記決定モジュールは、前記ＵＥのコンテキストを決定し、前記通信モジュールを使用することによって前記データ記憶機能エンティティに前記ＵＥの前記コンテキストを送るようにさらに構成され、前記ターゲットアクセス管理エンティティは、前記データ記憶機能エンティティから取得される前記ＵＥの前記コンテキストに基づいて前記ＵＥにサービスする請求項１０または１１に記載の通信ネットワークエンティティ。
【請求項１４】
前記通信ネットワークエンティティは前記元のアクセス管理エンティティであり、
前記通信モジュールは、前記ＵＥに現在サービスしているセッション管理エンティティと通信するようにさらに構成され、
前記決定モジュールは、前記通信モジュールを使用することによって、前記元のアクセス管理エンティティの前記識別子および前記ターゲットアクセス管理エンティティの前記識別子を前記セッション管理エンティティに送るようにさらに構成され、または前記セッション管理エンティティに関連する前記ターゲットアクセス管理エンティティのアドレスを決定し、前記通信モジュールを使用することによって、前記元のアクセス管理エンティティの前記識別子および前記セッション管理エンティティに関連する前記ターゲットアクセス管理エンティティの前記アドレスを前記セッション管理エンティティに送るようにさらに構成される請求項１０乃至１３のいずれか一項に記載の通信ネットワークエンティティ。
【請求項１５】
元のアクセス管理エンティティによってサービスされる一部のまたはすべてのＵＥがターゲットアクセス管理エンティティに移動されるシナリオに適用される、負荷再配置のためのアクセスネットワークエンティティであって、
通信ネットワークエンティティによって送られる前記元のアクセス管理エンティティの識別子および前記アクセスネットワークエンティティに関連する前記ターゲットアクセス管理エンティティのアドレスを受信し、または通信ネットワークエンティティによって送られる前記元のアクセス管理エンティティの識別子および前記ターゲットアクセス管理エンティティの識別子を受信するように構成され、前記ＵＥからのメッセージを前記ターゲットアクセス管理エンティティに送るようにさらに構成された通信モジュールと、
前記ＵＥからの前記メッセージを受信するように構成された受信機と、
前記通信モジュールによって受信される前記元のアクセス管理エンティティの前記識別子および前記アクセスネットワークエンティティに関連する前記ターゲットアクセス管理エンティティの前記アドレスを記憶し、または前記通信モジュールによって受信される前記元のアクセス管理エンティティの前記識別子および前記ターゲットアクセス管理エンティティの前記識別子を記憶するように構成され、前記アクセスネットワークエンティティに現在接続されているＵＥのコンテキストを記憶するようにさらに構成されたメモリと、
前記通信モジュールによって受信される前記元のアクセス管理エンティティの前記識別子および前記アクセスネットワークエンティティに関連する前記ターゲットアクセス管理エンティティの前記アドレス、または前記通信モジュールによって受信される前記元のアクセス管理エンティティの前記識別子および前記ターゲットアクセス管理エンティティの前記識別子を前記メモリ内に記憶するように構成され、前記受信機によって受信された、前記ＵＥの前記メッセージ内で搬送される前記元のアクセス管理エンティティの前記識別子に基づいて、または前記メモリ内に記憶された前記ＵＥのコンテキスト内に含まれるアクセス管理エンティティの識別子に基づいて、前記アクセスネットワークエンティティに関連する前記ターゲットアクセス管理エンティティの前記アドレスまたは前記ターゲットアクセス管理エンティティの前記識別子を決定し、前記通信モジュールを使用することによって、前記受信機によって受信される前記ＵＥからの前記メッセージを前記ターゲットアクセス管理エンティティに送るようにさらに構成された少なくとも１つのプロセッサと
を備えるアクセスネットワークエンティティ。
【請求項１６】
前記プロセッサが、前記通信モジュールによって受信された前記元のアクセス管理エンティティの前記識別子に基づいて、前記メモリ内に記憶された前記ＵＥの更新されるべきコンテキストを決定するようにさらに構成され、前記ＵＥの前記更新されるべきコンテキスト内に含まれる前記ＵＥに現在サービスしている前記アクセス管理エンティティの前記識別子は、前記元のアクセス管理エンティティの前記識別子と同じであり、前記プロセッサは、前記アクセスネットワークエンティティに関連する、前記ＵＥにサービスする前記アクセス管理エンティティの、前記ＵＥの前記更新されるべきコンテキスト内に含まれるアドレスを無効値に設定する請求項１５に記載のアクセスネットワークエンティティ。
【請求項１７】
命令を含むコンピュータ可読記憶媒体であって、コンピュータ上で実行するとき、前記コンピュータは請求項１乃至５のいずれか一項に記載の方法を実施するコンピュータ可読記憶媒体。
【請求項１８】
命令を含むコンピュータ可読記憶媒体であって、コンピュータ上で実行するとき、前記コンピュータは請求項６乃至９のいずれか一項に記載の方法を実施するコンピュータ可読記憶媒体。
【請求項１９】
元のアクセス管理エンティティによってサービスされる一部のまたはすべてのＵＥがターゲットアクセス管理エンティティに移動されるシナリオに適用される負荷再配置システムであって、通信ネットワークエンティティおよびアクセスネットワークエンティティを備え、
前記通信ネットワークエンティティは、前記ターゲットアクセス管理エンティティを決定し、前記元のアクセス管理エンティティの識別子および前記アクセスネットワークエンティティに関連する前記ターゲットアクセス管理エンティティのアドレス、または前記元のアクセス管理エンティティの識別子および前記ターゲットアクセス管理エンティティの識別子を前記アクセスネットワークエンティティに送るように構成され、
前記アクセスネットワークエンティティは、前記ＵＥからのメッセージ内で搬送される前記元のアクセス管理エンティティの前記識別子に基づいて、または前記アクセスネットワークエンティティ内に記憶される前記ＵＥに現在サービスしている前記元のアクセス管理エンティティの前記識別子に基づいて、前記ＵＥからの前記メッセージを前記ターゲットアクセス管理エンティティに送るように構成される、負荷再配置システム。
【請求項２０】
前記通信ネットワークエンティティは前記元のアクセス管理エンティティであり、
前記通信ネットワークエンティティは、前記ターゲットアクセス管理エンティティに前記ＵＥのコンテキストを送るようにさらに構成され、前記ターゲットアクセス管理エンティティは、受信される前記ＵＥの前記コンテキストに基づいて前記ＵＥにサービスする、請求項１９に記載の負荷再配置システム。
【請求項２１】
前記通信ネットワークエンティティは前記元のアクセス管理エンティティであり、
前記通信ネットワークエンティティは、前記元のアクセス管理エンティティの前記識別子およびセッション管理エンティティに関連する前記ターゲットアクセス管理エンティティのアドレス、または前記元のアクセス管理エンティティの前記識別子および前記ターゲットアクセス管理エンティティの前記識別子を、前記ＵＥに現在サービスしている前記セッション管理エンティティに送るようにさらに構成され、前記セッション管理エンティティは、前記元のアクセス管理エンティティの前記識別子に基づいて、前記ＵＥに宛てられたメッセージを前記ターゲットアクセス管理エンティティに送る、請求項１９に記載の負荷再配置システム。
【手続補正２】
【補正対象書類名】明細書
【補正対象項目名】全文
【補正方法】変更
【補正の内容】
【発明の詳細な説明】
【技術分野】
【０００１】
本願は、通信技術の分野に関し、詳細には、通信ネットワーク内の負荷再配置のための方法、装置、およびシステムに関する。
【背景技術】
【０００２】
本願は、その全体が参照により本明細書に組み込まれる、２０１７年４月２５日に出願された「ＬＯＡＤ  ＲＥＬＯＣＡＴＩＯＮ  ＭＥＴＨＯＤ，  ＡＰＰＡＲＡＴＵＳ，  ＡＮＤ  ＳＹＳＴＥＭ」という名称の中国出願第２０１７１０２７９１４７．２号、および２０１７年１０月１２日に出願された「ＬＯＡＤ  ＲＥＬＯＣＡＴＩＯＮ  ＭＥＴＨＯＤ，  ＡＰＰＡＲＡＴＵＳ，  ＡＮＤ  ＳＹＳＴＥＭ」という名称の中国出願第２０１７１０９４９２７６．８号の優先権を主張する。
【０００３】
４Ｇ（４ｔｈ  ｇｅｎｅｒａｔｉｏｎ、第４世代）通信ネットワークでは、ＵＥ（Ｕｓｅｒ  ｅｑｕｉｐｍｅｎｔ、ユーザ機器）が通信ネットワークに登録し、通信ネットワークは、ＵＥのモビリティ管理の任を担うＭＭＥ（Ｍｏｂｉｌｉｔｙ  Ｍａｎａｇｅｍｅｎｔ  Ｅｎｔｉｔｙ、モビリティ管理エンティティ）をＵＥに割り振る。ネットワークアップスケーリング／ダウンスケーリングや、ＭＭＥがＵＥにサービスすることを続けることができないＭＭＥ障害などのシナリオでは、ＵＥを別のＭＭＥに移動する必要がある。４Ｇ通信ネットワークでは、ＵＥのサービングＭＭＥを変更する手順は、比較的複雑である。ＵＥがアイドルモードにある場合、ネットワークはＵＥをページングし、位置更新を開始するようにＵＥに命令し、位置更新処理でＵＥが新しいＭＭＥにハンドオーバされる。したがって、ＵＥのサービングＭＭＥを変更することは、（例えば、ページング処理および位置更新処理で）比較的大量のエアインターフェースシグナリングのトリガリングを必要とする。比較的大量のＵＥを移動する必要があるとき、エアインターフェースシグナリングが急激に増大する。エアインターフェースシグナリングの嵐を回避するためには、既存の解決策はバッチでのハンドオーバである。しかしながら、バッチでのハンドオーバは、ＭＭＥの負荷を遅れずに低減するには遅過ぎ、したがってネットワーク上のロードバランシングには役立たない。
【０００４】
５Ｇ（５ｔｈ  ｇｅｎｅｒａｔｉｏｎ、第５世代）通信ネットワークでは、コアネットワーク内の機能ネットワーク要素が、仮想化技術に基づいて実装されることになっており、ネットワーク機能の頻繁なアップスケーリング、ダウンスケーリング、追加、および除去が、オペレータのネットワーク配置で行われると予見されることができる。４ＧでのＭＭＥ負荷再配置方法は、柔軟な配置および頻繁な変更によって特徴付けられるそのような５Ｇネットワークシナリオに対しては不適切である。
【発明の概要】
【０００５】
本願の実施形態は、問題、例えばコアネットワークの機能エンティティが過剰なエアインターフェースリソースを占有し、負荷再配置処理で低い負荷再配置効率を有することを解決するために、負荷再配置方法、装置、およびシステムを提供する。
【０００６】
上記の目的を達成するために、本願の実施形態は、以下の技術的解決策を提供する。
【０００７】
第１の態様によれば、本願の一実施形態は負荷再配置方法を提供し、その結果、負荷再配置のための元のアクセス管理エンティティによって現在サービスされている一部のまたはすべてのＵＥが、ターゲットアクセス管理エンティティに移動され、方法は、通信ネットワークエンティティによって、負荷再配置のためのターゲットアクセス管理エンティティをまず決定すること、および元のアクセス管理エンティティの識別子と、アクセスネットワークエンティティに関連するターゲットアクセス管理エンティティのアドレスとの間の対応をアクセスネットワークエンティティに送ることを含む。アクセスネットワークエンティティは、ＵＥからのメッセージ、またはアクセスネットワークエンティティ内に記憶されたＵＥのコンテキストから、ＵＥに現在サービスしているアクセス管理エンティティの識別子を取得することができる。したがって、アクセスネットワークエンティティは、通信ネットワークエンティティによって送られる元のアクセス管理エンティティの識別子に基づいて、どのＵＥを移動する必要があるかを決定することができ、元のアクセス管理エンティティの識別子に対応する、アクセスネットワークエンティティに関連するターゲットアクセス管理エンティティのアドレスに基づいて、どのターゲットアクセス管理エンティティにＵＥを移動する必要があるか、どのアドレスにＵＥからのメッセージを転送する必要があるかをさらに学習することができる。このようにして、通信ネットワークエンティティは、各ＵＥについてアクセスネットワークエンティティに負荷再配置命令またはメッセージを送る必要がなく、それによってシグナリングオーバヘッドを削減し、負荷再配置効率を改善する。さらに、アクセスネットワークエンティティは、ＵＥのためのアクセス管理エンティティをアクセスネットワークエンティティに再選択させるために、位置更新手順を開始するようにＵＥに命令する必要がない。このことはエアインターフェースシグナリングを削減し、エアインターフェースリソースを節約する。
【０００８】
可能な設計では、負荷再配置後にターゲットアクセス管理エンティティに元のアクセス管理エンティティの識別子をターゲットアクセス管理エンティティの識別子として使用させるために、通信ネットワークエンティティはさらに、元のアクセス管理エンティティの識別子をターゲットアクセス管理エンティティに送る必要がある。したがって、元のアクセス管理エンティティの負荷がターゲットアクセス管理エンティティに再配置された後、ターゲットアクセス管理エンティティは、元のアクセス管理エンティティの識別子を使用してＵＥにサービスし得る。例えば、新しいＵＥがターゲットアクセス管理エンティティに接続または登録され、ターゲットアクセス管理エンティティが一時識別子をＵＥに割り振るとき、一時識別子内に含まれるアクセス管理エンティティの識別子は、元のアクセス管理エンティティの識別子であり得る。アクセス管理エンティティの識別子はまた、ネットワークリソースのタイプであり、ネットワーク容量および配置に基づいて計画および構成する必要がある。これは、ネットワークリソースとしてのアクセス管理エンティティの識別子が浪費されないことを保証する。
【０００９】
可能な設計では、通信ネットワークエンティティは元のアクセス管理エンティティであり得、ターゲットアクセス管理エンティティが、移動されるべきＵＥ（to-be-moved UE）に正常にサービスすることが可能となるように、元のアクセス管理エンティティはさらに、移動されるべきＵＥのコンテキストをターゲットアクセス管理エンティティまたはデータ記憶機能エンティティに送る必要がある。したがって、アクセスネットワークエンティティがＵＥのメッセージをターゲットアクセス管理エンティティに送った後、ターゲットアクセス管理エンティティは、ＵＥの受信されたコンテキスト、またはデータ記憶機能エンティティから取得されたＵＥのコンテキストに基づいて、ＵＥにサービスすることを続けることができる。通信ネットワーク内部の負荷再配置は、ＵＥのサービスに影響を及ぼさず、ＵＥはさらに、アクセス管理エンティティの変更を認識しない。例えば、ターゲットアクセス管理エンティティは、ＵＥのコンテキスト内に記憶された、ＵＥに現在サービスしているセッション管理エンティティの識別子またはアドレスに基づいて、ＵＥからのメッセージを、処理のためにセッション管理エンティティに転送し得る。
【００１０】
可能な設計では、通信ネットワークエンティティは元のアクセス管理エンティティであり得、ＵＥに現在サービスしているセッション管理エンティティに、負荷再配置後に、ＵＥに現在サービスしているアクセス管理エンティティ、すなわちターゲットアクセス管理エンティティを依然として見つけることができるようにさせるために、元のアクセス管理エンティティはさらに、移動されるべきＵＥに現在サービスしているセッション管理エンティティに、元のアクセス管理エンティティの識別子と、セッション管理エンティティに関連するターゲットアクセス管理エンティティのアドレスとの間の対応を送る必要がある。このようにして、セッション管理エンティティは、ＵＥに現在サービスしているアクセス管理エンティティの識別子を記憶しているので、セッション管理エンティティがＵＥに宛てられたダウンリンクメッセージを受信すると、セッション管理エンティティは、元のアクセス管理エンティティの識別子に基づいて、ＵＥに宛てられたメッセージを、対応するターゲットアクセス管理エンティティに送ることができる。
【００１１】
可能な設計では、通信ネットワークエンティティは運用および保守エンティティであり得、元のアクセス管理エンティティに、どのＵＥがどのターゲットアクセス管理エンティティに移動されるべきかをクリアさせるために、運用および保守エンティティは、再配置のための元のアクセス管理エンティティの識別子と、元のアクセス管理エンティティに関連するターゲットアクセス管理エンティティのアドレスとを元のアクセス管理エンティティに送る必要がある。元のアクセス管理エンティティによってサービスされるＵＥに元のアクセス管理エンティティによって割り振られる一時識別子が、元のアクセス管理エンティティの識別子を含むので、元のアクセス管理エンティティが複数の識別子を含むと仮定される間、元のアクセス管理エンティティは、運用および保守エンティティによって送られた元のアクセス管理エンティティの識別子に基づいて、移動されるべきＵＥを決定することができる。さらに、元のアクセス管理エンティティに関連するターゲットアクセス管理エンティティのアドレスは、元のアクセス管理エンティティが、移動されるべきＵＥのコンテキストをターゲットアクセス管理エンティティに送ることを助けることができる。
【００１２】
第２の態様によれば、本願の一実施形態は負荷再配置方法を提供し、方法は、通信ネットワークエンティティによって送られた、元のアクセス管理エンティティの識別子と、アクセスネットワークエンティティに関連するターゲットアクセス管理エンティティのアドレスとの間の対応を、アクセスネットワークエンティティによって受信すること、およびアクセスネットワークエンティティに関連するターゲットアクセス管理エンティティのアドレスに、ＵＥからの受信されたメッセージ内で搬送される元のアクセス管理エンティティの識別子に基づく、またはアクセスネットワークエンティティ内に記憶されたＵＥに現在サービスしている元のアクセス管理エンティティの識別子に基づくＵＥからのメッセージを、アクセスネットワークエンティティによって送ることを含む。このようにして、アクセスネットワークエンティティは、通信ネットワークエンティティの指示に基づいて、アクセス管理エンティティ識別子とアクセス管理エンティティアドレスとの間の対応を記憶する。ＵＥからメッセージを受信するとき、アクセスネットワークエンティティは、ＵＥからのメッセージ内に含まれるアクセス管理エンティティの識別子、またはアクセスネットワークエンティティ内に記憶されたＵＥにサービスするアクセス管理エンティティの識別子に基づいて、識別子に対応するアクセス管理エンティティのアドレスを直接的に見つけることができる。通信ネットワーク内のアクセス管理エンティティ間の負荷再配置の如何に関わらず、アクセスネットワークエンティティは、アクセス管理エンティティ間のリダイレクションの必要なしに、ＵＥからのメッセージを正しいアクセス管理エンティティに常に送ることができる。さらに、アクセス管理エンティティが行う必要があるのは、アクセス管理エンティティ間のロードバランシングを保証するために、通信ネットワークエンティティによって指定される対応に基づいてメッセージ転送を実施することだけである。これは、アクセスネットワークエンティティによるメッセージ転送の複雑さを簡略化する。例えば、メッセージ転送を実施するとき、アクセスネットワークエンティティはもはや、ロードバランシングアルゴリズムに基づいてアクセス管理エンティティを選択する必要がない。
【００１３】
可能な設計では、アクセスネットワークエンティティ内に記憶されたＵＥのコンテキストが、ＵＥに現在サービスしているアクセス管理エンティティの識別子と、アクセスネットワークエンティティに関連するアクセス管理エンティティのアドレスとを含み、アクセスネットワークエンティティは、元のアクセス管理エンティティの受信された識別子に基づいて、ＵＥの更新されるべきコンテキストを決定し、アクセスネットワークエンティティに関連するＵＥにサービスするアクセス管理エンティティの、ＵＥのコンテキスト内に含まれるアドレスを無効値に設定する。このようにして、アクセスネットワークエンティティがＵＥからメッセージを受信するとき、アクセスネットワークエンティティは、アクセスネットワークエンティティに関連するＵＥにサービスするアクセス管理エンティティの、ＵＥのコンテキスト内に含まれるアドレスが無効値であると判定し、アクセスネットワークエンティティは、ＵＥのコンテキストから、元のアクセス管理エンティティの識別子を取得し、元のアクセス管理エンティティの識別子に基づいて、アクセスネットワークエンティティに関連する、対応するターゲットアクセス管理エンティティのアドレスを決定する。アクセスネットワークエンティティは、アクセスネットワークエンティティに関連するターゲットアクセス管理エンティティのアドレスに、ＵＥからのメッセージを送る。
【００１４】
可能な設計では、アクセスネットワークエンティティ内に記憶されたＵＥのコンテキストが、ＵＥに現在サービスしているアクセス管理エンティティの識別子と、アクセスネットワークエンティティに関連するアクセス管理エンティティのアドレスとを含み、アクセスネットワークエンティティは、元のアクセス管理エンティティの受信された識別子に基づいて、ＵＥの更新されるべきコンテキストを決定し、アクセスネットワークエンティティに関連するＵＥにサービスするアクセス管理エンティティの、ＵＥのコンテキスト内に含まれるアドレスを、アクセスネットワークエンティティに関連するターゲットアクセス管理エンティティのアドレスとして設定する。このようにして、アクセスネットワークエンティティがＵＥからメッセージを受信するとき、アクセスネットワークエンティティは、ＵＥのコンテキスト内に記録されるアクセスネットワークエンティティに関連するアクセス管理エンティティのアドレスに基づいて、ターゲットアクセス管理エンティティにメッセージを直接的に送る。
【００１５】
可能な設計では、アクセスネットワークエンティティはＵＥからメッセージを受信し、アクセスネットワークエンティティは、メッセージから元のアクセス管理エンティティの識別子を取得し、元のアクセス管理エンティティの識別子に基づいて、アクセスネットワークエンティティに関連する、対応するターゲットアクセス管理エンティティのアドレスを決定し、アクセスネットワークエンティティは、アクセスネットワークエンティティに関連するターゲットアクセス管理エンティティのアドレスに、ＵＥからのメッセージを送る。
【００１６】
可能な設計では、通信ネットワークエンティティは、元のアクセス管理エンティティ、または運用および保守エンティティであり得る。
【００１７】
第３の態様によれば、本願の一実施形態は、負荷再配置のための通信ネットワークエンティティを提供し、通信ネットワークエンティティは、第１の態様による方法での通信ネットワークエンティティのアクションを実装する機能を有する。機能は、ハードウェアによって、または対応するソフトウェアをハードウェアで実行することによって実装され得る。ハードウェアまたはソフトウェアは、機能に対応する１つまたは複数のモジュールを含む。
【００１８】
可能な設計では、通信ネットワークエンティティは、プロセッサ、メモリ、バス、および通信インターフェースを含むコンピュータデバイスであり、メモリが、コンピュータ実行可能命令を記憶するように構成され、プロセッサが、バスを使用することによってメモリに接続され、デバイスが動作するとき、プロセッサは、メモリ内に記憶されたコンピュータ実行可能命令を実行し、その結果、通信ネットワークエンティティは、第１の態様の任意の設計による負荷再配置方法を実施する。
【００１９】
第４の態様によれば、本願の一実施形態は、負荷再配置のためのアクセスネットワークエンティティを提供し、アクセスネットワークエンティティは、第２の態様による方法でのアクセスネットワークエンティティのアクションを実装する機能を有する。機能は、ハードウェアによって、または対応するソフトウェアをハードウェアで実行することによって実装され得る。ハードウェアまたはソフトウェアは、機能に対応する１つまたは複数のモジュールを含む。
【００２０】
第５の態様によれば、本願の一実施形態はコンピュータ可読記憶媒体を提供し、コンピュータ可読記憶媒体は命令を記憶し、コンピュータ可読記憶媒体がコンピュータ上で動作するとき、コンピュータは、第１の態様または第２の態様による方法を実施する。
【００２１】
第６の態様によれば、本願の一実施形態はコンピュータプログラム製品を提供し、製品がコンピュータ上で動作するとき、コンピュータは、第１の態様または第２の態様による方法を実施する。
【００２２】
第７の態様によれば、本願の一実施形態は、上記の態様による通信ネットワークエンティティおよびアクセスネットワークエンティティを含む負荷再配置システムを提供する。
【００２３】
本願の実施形態では、アクセスネットワークエンティティ、アクセス管理エンティティ、セッション管理エンティティ、ならびに運用および保守エンティティの名前はエンティティを限定しない。実際の実装では、これらのエンティティが他の名前の中に存在し得る。エンティティの機能が本願のエンティティの機能と同様であること、またはエンティティが複数の機能を有し、機能のうちの１つまたは複数が本願の機能と同様であることを条件として、すべての名前が本願の保護範囲内に包含される。
【図面の簡単な説明】
【００２４】
【図１ａ】本願の一実施形態による、可能なシステムネットワークの概略図である。
【図１ｂ】本願の一実施形態による、可能な５Ｇネットワークアーキテクチャの概略図である。
【図２】本願の一実施形態による、ユーザ機器の一時識別子の可能な構成の概略図である。
【図３ａ】本願の一実施形態による、負荷再配置方法の概略フローチャートである。
【図３ｂ】本願の一実施形態による、別の負荷再配置方法の概略フローチャートである。
【図４】本願の一実施形態による、別の負荷再配置方法の概略フローチャートである。
【図５】本願の一実施形態による、別の負荷再配置方法の概略フローチャートである。
【図６】本願の一実施形態による、コンピュータデバイスの概略構造図である。
【図７】本願の一実施形態による、アクセスネットワークエンティティの機能モジュールの概略図である。
【図８】本願の一実施形態による、アクセスネットワークエンティティの概略構造図である。
【図９】本願の一実施形態による、通信ネットワークエンティティの機能モジュールの概略図である。
【発明を実施するための形態】
【００２５】
以下は、本願の実施形態での添付の図面を参照しながら、本願の実施形態での技術的解決策を説明する。
【００２６】
本発明の実施形態は負荷再配置方法を提供する。方法は、図１ａに示されるシステムアーキテクチャまたはアプリケーションシナリオに適用され得る。図１ａに示されるように、ユーザ機器が、アクセスネットワークエンティティを使用することによってアクセス管理エンティティに接続され、アクセス管理エンティティは、ユーザ機器に関するアクセス認証および接続性管理を実施し、アクセス管理エンティティは、セッション管理エンティティを使用することによって、ユーザ機器について、サービスサーバまたは別のネットワークまたはデバイスへの接続を確立する。図１ａに示される通信ネットワーク内に複数のアクセス管理エンティティ、例えばアクセス管理エンティティ１およびアクセス管理エンティティ２があり得る。アクセス管理エンティティ１がユーザ機器についての接続性管理サービスを提供することを続けることができないとき、ユーザ機器をアクセス管理エンティティ２に移動する必要があり、アクセスネットワークエンティティは、ユーザ機器のメッセージをアクセス管理エンティティ２に転送するように命令され、その結果、ユーザ機器に正常にサービスされる。実際のネットワーク配置では、システム内のエンティティまたはデバイスに関する保守および管理を実施するために、通信ネットワーク内に運用および保守エンティティ（図示せず）があり得る。例えば、運用および保守エンティティは、アクセス管理エンティティ、セッション管理エンティティ、ＲＡＮなどのデバイスに接続され、運用および保守エンティティは、これらのデバイスに関する構成および初期化などのリモート運用および保守を実施するように、アクセス管理エンティティ、セッション管理エンティティ、ＲＡＮなどのデバイスにメッセージを送り得る。
【００２７】
本願のこの実施形態では、アクセス管理エンティティ、セッション管理エンティティ、ならびに運用および保守エンティティは、通信ネットワークエンティティと呼ばれることがある。図１ａのエンティティの名前はエンティティを限定しない。例えば、「アクセス管理エンティティ」は、代替として「アクセスおよびモビリティ管理機能エンティティ」または他の名前で置き換えられ得、「セッション管理エンティティ」は、代替として「セッション管理機能」または他の名前で置き換えられ得る。さらに、アクセス管理エンティティは、代替としてモビリティ管理機能に加えて他の機能を含むエンティティに対応し得る。セッション管理エンティティは、代替としてセッション管理機能に加えて他の機能を含むエンティティに対応し得る。次に全体的な説明が与えられ、より詳しい詳細は以下では説明されない。
【００２８】
図１ｂは、図１ａの可能な通信システム例である。図１ｂは、ＵＥ（Ｕｓｅｒ  ｅｑｕｉｐｍｅｎｔ、ユーザ機器）、（Ｒ）ＡＮ（ｒａｄｉｏ  ａｃｃｅｓｓ  ｎｅｔｗｏｒｋ、無線アクセスネットワークエンティティ）、コアネットワーク、およびＤＮ（Ｄａｔａ  Ｎｅｔｗｏｒｋ、データネットワーク）を含む。ユーザ機器は、ＤＮによって提供されるサービスを有するように、ＲＡＮを使用することによってコアネットワークに接続され、コアネットワークを使用することによってＤＮに接続される。コアネットワークは、ＡＭＦ（Ａｃｃｅｓｓ  ａｎｄ  Ｍｏｂｉｌｉｔｙ  Ｍａｎａｇｅｍｅｎｔ、アクセスおよびモビリティ管理機能）、ＳＦ（Ｓｅｓｓｉｏｎ  Ｍａｎａｇｅｍｅｎｔ  Ｆｕｎｃｔｉｏｎ、セッション管理機能）、ＰＣＦ（Ｐｏｌｉｃｙ  Ｃｏｎｔｒｏｌ  ｆｕｎｃｔｉｏｎ、ポリシー制御機能）、およびＵＰＦ（Ｕｓｅｒ  ｐｌａｎｅ  Ｆｕｎｃｔｉｏｎ、ユーザプレーン機能）を含む。図１ｂに示されるシステムアーキテクチャでは、ＲＡＮは、図１ａのアクセスネットワークエンティティの例であり、ＡＭＦは、図１ａのアクセス管理エンティティの例であり、ＳＭＦは、図１ａのセッション管理エンティティの例である。ＵＥは、ＲＡＮを使用することによってＡＭＦに接続される。ＡＭＦは、ＵＥについてのアクセスおよびモビリティ管理サービスを提供する。具体的には、ＡＭＦは、アクセスを要求するユーザに関する認証を実施し、ＡＭＦを使用することによってコアネットワークに接続されたユーザ機器に関する管理（例えば、接続性管理およびモビリティ管理）を実施する。ＳＭＦは、ＵＥに関するポリシーをＰＣＦから取得し、関連するポリシーに従って、ＵＰＦを制御して、ＵＥについてのＤＮへの接続を確立する。コアネットワークはさらに、コアネットワークに接続され、またはアタッチされたＵＥに一時識別子を割り振る。ＰＬＭＮ  ＩＤ（Ｐｕｂｌｉｃ  Ｌａｎｄ  Ｍｏｂｉｌｅ  Ｎｅｔｗｏｒｋ  ｉｄｅｎｔｉｆｉｃａｔｉｏｎ、パブリックランドモバイルネットワーク識別）、ＡＭＦグループＩＤ（ＡＭＦグループ識別子）、ＡＭＦ  ＩＤ（ＡＭＦ識別子）、およびＵＥ  ＩＤ（ＵＥ識別子）を含む、一時識別子のフォーマットが図２に示されている。本願のこの実施形態でのコアネットワークエンティティの名前および配置形態は例に過ぎず、本願の技術的解決策および関連する機能エンティティを限定しないことに留意されたい。将来の、これらのネットワークエンティティの名前、位置、およびこれらのネットワークエンティティ間の対話に対するどんな変形も、これらのネットワークエンティティが本願の実施形態でのネットワークエンティティの機能を有することを条件として、本願の保護範囲に包含されるものとする。例えば、ＡＭＦまたはＳＭＦ機能を有するデバイスは、ＡＭＦまたはＳＭＦと呼ばれることがあり、あるいはＡＭＦインスタンスもしくはＳＭＦインスタンス、ＡＭＦデバイスもしくはＳＭＦデバイス、またはＡＭＦ機能エンティティもしくはＳＭＦ機能エンティティと呼ばれることがある。同様に、本願の実施形態で説明される技術的解決策は、図１ｂに示される通信システム内のネットワークエンティティに限定されない。他のタイプのネットワー��内のネットワークエンティティは、これらのネットワークエンティティが本願の実施形態でのネットワークエンティティの機能を有することを条件として、本願の保護範囲内にすべて包含されるものとする。
【００２９】
ＡＭＦが負荷再分配を実施するとき、例えばＡＭＦがシャットダウンまたはスケールダウンされるとき、ＡＭＦは、ＡＭＦによって現在管理されているＵＥ、言い換えれば、ＡＭＦによって現在サービスされているＵＥ、またはＡＭＦに現在登録されているＵＥを、別のＡＭＦにハンドオーバする必要がある。この目的で、本願の実施形態は技術的解決策を提供する。ＲＡＮがＡＭＦ  ＩＤとＡＭＦアドレスとの間の対応を含むＡＭＦルーティング情報を記憶し、ＡＭＦが、ＡＭＦによって管理される一部のまたはすべてのＵＥを別のＡＭＦにハンドオーバすることを意図するとき、ＡＭＦまたは運用および保守（Ｏｐｅｒａｔｉｏｎｓ  ＆  Ｍａｉｎｔｅｎａｎｃｅ、Ｏ＆Ｍ）エンティティが、負荷再配置後に有効なＡＭＦルーティング情報、例えば負荷再配置後に有効なＡＭＦ  ＩＤに対応するＡＭＦアドレス、言い換えれば、負荷再配置のためのターゲットＡＭＦのアドレスをＲＡＮに送る。ＡＭＦ  ＩＤの長さが変化したとき、新しいＡＭＦ  ＩＤをさらに搬送する必要がある。ＲＡＮがＵＥからＮＡＳ（Ｎｏｎ  Ａｃｃｅｓｓ  Ｓｔｒａｔｕｍ、非アクセス層）メッセージを受信したとき、ＲＡＮは、ＵＥの一時識別子内に含まれるＡＭＦ  ＩＤに基づいて、ＡＭＦ  ＩＤに対応するＡＭＦアドレスを決定し、ＵＥによって送られたメッセージをＡＭＦアドレスに転送する。本願の実施形態で提供される技術的解決策によれば、ＵＥの一時識別子が、ＵＥが登録するＡＭＦまたはＵＥにサービスするＡＭＦのＡＭＦ  ＩＤを含むという特徴が利用され、ＡＭＦ  ＩＤに対応するＡＭＦアドレスがＲＡＮに対して更新され、その結果、ＲＡＮは、ＵＥの一時識別子内のＡＭＦ  ＩＤに基づいて、負荷再配置のためのターゲットＡＭＦのアドレスを決定することができ、ＵＥのメッセージを負荷再配置のためのターゲットＡＭＦにさらに転送することができる。これは、５Ｇコアネットワークの負荷再分配要件または負荷再配置要件を満たす。コアネットワーク要素が負荷再配置後に有効なＡＭＦルーティング情報を別の方式でＲＡＮに送り得ることを当業者は理解し得る。例えば、コアネットワーク要素は、負荷再配置のための元のＡＭＦの識別子と、負荷再配置のためのターゲットＡＭＦの識別子とをＲＡＮに送り、ＲＡＮは、ターゲットＡＭＦの識別子に基づいて、ターゲットＡＭＦの識別子に対応するＡＭＦアドレス、言い換えれば、負荷再配置のためのターゲットＡＭＦのアドレスを取得し、負荷再配置のためのターゲットＡＭＦに、ＵＥに関するメッセージを送り得る。ＡＭＦ識別子はＡＭＦを一意に特定する任意のフォーマット、例えば、文字列のフォーマットの名前、完全修飾ドメイン名（Ｆｕｌｌｙ  Ｑｕａｌｉｆｉｅｄ  Ｄｏｍａｉｎ  Ｎａｍｅ、ＦＱＤＮ）、またはグローバル一意ＡＭＦ識別子（Ｇｌｏｂａｌｌｙ  Ｕｎｉｑｕｅ  ＡＭＦ  Ｉｄｅｎｔｉｆｉｅｒ、ＧＵＡＭＩ）であり得ることに留意されたい。本願の実施形態で提供される技術的解決策では、ＡＭＦおよびＲＡＮは、各ＵＥについて、ＵＥ再配置に関係するシグナリング交換を実施する必要がない。例えば、ＡＭＦおよびＲＡＮは、ＵＥをページングし、または位置更新または新しい登録を開始するようにＵＥに命令する必要がない。さらに、ＡＭ���は、各ＵＥについてＲＡＮ内に記憶されたＵＥのコンテキスト内のＡＭＦ  ＩＤを削除するようにＲＡＮにメッセージを送る必要がない。したがって、シグナリングオーバヘッドが著しく削減され、大量のネットワークリソースが節約される。
【００３０】
本願のこの実施形態では、ＲＡＮがＡＭＦルーティング情報を記憶する特定の形態は限定されない。ＲＡＮは、ＡＭＦルーティングテーブルの形態でＡＭＦルーティング情報を記憶し得、ルーティングテーブル以外の他の形態でＡＭＦルーティング情報を記憶し得る。例えば、ＲＡＮはＡＭＦ  ＩＤテーブルおよびＡＭＦアドレステーブルを記憶し、２つのテーブルがどちらもＡＭＦ名を索引として含む。このケースでは、ＡＭＦ  ＩＤとＡＭＦアドレスとの間の対応も確立され得る。説明しやすいように、本願のこの実施形態では、本願での技術的解決策が、一例としてＡＭＦルーティングテーブルを使用することによって説明される。本願のこの実施形態での解決策の機能が実装されることを条件として、ルーティング情報が別の形態で記録されるすべての解決策が本願の保護範囲内に包含されるものとすることに留意されたい。
【００３１】
本願のこの実施形態での５Ｇコアネットワークが、それぞれＡＭＦ１、ＡＭＦ２、ＡＭＦ３、およびＡＭＦ４という４つのＡＭＦデバイスまたはＡＭＦインスタンスを含むと仮定される。ＲＡＮ内に記憶されたＡＭＦルーティングテーブルが表１に示されており、ＲＡＮに関連するＡＭＦのアドレス（表１の第２の列に示される）と、ＡＭＦ  ＩＤ（表１の第３の列に示される）とを含む。本願のこの実施形態の説明がしやすいように、当業者が技術的解決策を理解するのを助けるために、ＡＭＦ名の列（表１の第１の列に示される）が表１に追加される。本願のこの実施形態では、ＲＡＮに関連するＡＭＦのアドレスと、ＡＭＦ  ＩＤの特定のフォーマットは限定されない。表１では、ＡＭＦ  ＩＤが２ビット（ｂｉｔ）の長さの２進フォーマットであると仮定される。ＡＭＦとＲＡＮとの間で使用されるトランスポート層プロトコルがＳＣＴＰ（Ｓｔｒｅａｍ  Ｃｏｎｔｒｏｌ  Ｔｒａｎｓｍｉｓｓｉｏｎ  Ｐｒｏｔｏｃｏｌ、ストリーム制御伝送プロトコル）であると仮定すると、ＲＡＮに関連するＡＭＦのアドレスは、ＳＣＴＰアドレス、ＳＣＴＰポート番号などである。ＲＡＮは、表１に示されるＡＭＦルーティング情報を様々な方式で記録および記憶し得、本願のこの実施形態はそれに関して制限を課さないことに留意されたい。例えば、ネットワーク配置の間に、Ｏ＆Ｍ（ｏｐｅｒａｔｉｏｎ  ａｎｄ  ｍａｉｎｔｅｎａｎｃｅ、運用および保守）エンティティが中央プランニングを実施し、ＡＭＦ  ＩＤを割り振り、ＡＭＦにＡＭＦ  ＩＤを送る。ＲＡＮへの接続を確立するとき、各ＡＭＦはＡＭＦ  ＩＤと、ＲＡＮに関連するＡＭＦのアドレスとを送り、その結果、ＲＡＮはＡＭＦルーティングテーブルを生成する。あるいは、Ｏ＆Ｍエンティティは、中央プランニングを実施し、ＡＭＦルーティングテーブルを生成し、ＲＡＮにＡＭＦルーティングテーブルを送り得る。ＲＡＮがＡＭＦルーティングテーブルを受信する前に、またはＲＡＮが未登録のＵＥのＮＡＳメッセージを受信したとき、ＲＡＮは、ローカルに構成されたポリシーまたは別のルーティングポリシー、例えばＡＭＦ間のロードバランシングを保証するためのポリシーに従ってＵＥのＮＡＳメッセージを送り、ＲＡＮは、ＮＡＳメッセージルーティングのためにＡＭＦを均一に選択し得る。
【００３２】
【表１】
2020504541.tif 000019
【００３３】
ＵＥの一時識別子内のＡＭＦ  ＩＤ＋ＵＥ  ＩＤが「００１００１００１０１１００１０１．．．」であると仮定すると、表１に示されるＡＭＦルーティングテーブルによれば、ＵＥの一時識別子から取られるＡＭＦ  ＩＤは「００」であり、ＲＡＮは、表１のＲＡＮに関連するＡＭＦ１のアドレスに基づいて、ＵＥのＮＡＳメッセージをＡＭＦ１に送るべきである。
【００３４】
保守やアップグレードなどの運用のために表１のＡＭＦ１をシャットダウンする必要があるとき、ＡＭＦ１のすべてのＵＥを別のＡＭＦに移動する必要があり、ＡＭＦ１は、負荷再配置のための元のＡＭＦである。ＡＭＦ１がＡＭＦ１によってサービスされるすべてのＵＥを現在最も負荷が軽いＡＭＦ２にハンドオーバすることを決定すると仮定され、これは、ＡＭＦ２が負荷再配置のためのターゲットＡＭＦであることを意味する。このケースでは、ＡＭＦ１は、表１のＡＭＦルーティングテーブルをリフレッシュし、リフレッシュされたＡＭＦルーティングテーブルが表２に示されている。表２では、その一時識別子がＡＭＦ  ＩＤ「００」を含むＵＥのＮＡＳメッセージは、ＡＭＦ２にルーティングされることになっている。
【００３５】
【表２】
2020504541.tif 000020
【００３６】
本願のこの実施形態では、ＡＭＦルーティングテーブル内のＵＥについての情報の長さは限定されない。具体的には、表１のＵＥの一時識別子内のＡＭＦ  ＩＤの長さは限定されない。したがって、オペレータがネットワークをスケールアップする必要があり、より多くのＡＭＦを識別するように２ビットＡＭＦ  ＩＤを拡張する必要があるとき、本願のこの実施形態で提供される方法は、依然として適用可能である。５Ｇコアネットワーク上に過剰なネットワーク負荷があることが仮定される。ネットワーク負荷を削減し、ネットワーク信頼性を改善するために、オペレータは、５Ｇコアネットワーク内にＡＭＦ５およびＡＭＦ６を新たに配置することによって５Ｇコアネットワークをスケールアップすることを決定する。したがって、ＡＭＦ  ＩＤを３ビットに拡張する必要がある。表１に示されるＡＭＦルーティングテーブルが、表３に示される新しいＡＭＦルーティングテーブルを取得するためにリフレッシュされる。表３では、ＵＥについての情報は、ＵＥの一時識別子内のＡＭＦ  ＩＤ＋ＵＥ  ＩＤ部分から取られた最初の３つの上位ビットである。５Ｇコアネットワークがスケールアップされる前に一時識別子がＵＥに割り振られ、ＵＥの一時識別子内のＡＭＦ  ＩＤ＋ＵＥ  ＩＤが「００１００１００１０１１００１０１．．．」であると仮定される。次いで、スケーリングアップ後のＵＥのＡＭＦ  ＩＤは「００１」である。
【００３７】
【表３】
2020504541.tif 000021
【００３８】
ＡＭＦ１、ＡＭＦ２、ＡＭＦ３、およびＡＭＦ４に対する負荷を低減するために（以下では、連続した番号のＡＭＦのセットを表すためにＡＭＦ１〜ＡＭＦ４が使用される）、ＡＭＦ１〜ＡＭＦ４はそれぞれ、ＡＭＦ１〜ＡＭＦ４によってサービスされるＵＥの一部をＡＭＦ５およびＡＭＦ６にハンドオーバし、ハンドオーバ後のＡＭＦルーティングテーブルが表４に示されている。ＡＭＦ１は、その一時識別子がＡＭＦ  ＩＤ「００１」を含む、ＡＭＦ１によってサービスされるＵＥを、ＡＭＦ５にハンドオーバし、ＡＭＦ２は、その一時識別子がＡＭＦ  ＩＤ「０１１」を含む、ＡＭＦ２によってサービスされるＵＥを、ＡＭＦ５にハンドオーバし、ＡＭＦ３は、その一時識別子がＡＭＦ  ＩＤ「１０１」を含む、ＡＭＦ３によってサービスされるＵＥを、ＡＭＦ６にハンドオーバし、ＡＭＦ４は、その一時識別子がＡＭＦ  ＩＤ「１１１」を含む、ＡＭＦ４によってサービスされるＵＥを、ＡＭＦ６にハンドオーバする。後に、新しいＵＥがＡＭＦ５に登録するとき、ＡＭＦ５は、一時識別子をＵＥに割り振るために、「００１」および「０１１」から一方をＡＭＦ  ＩＤとして選択する必要がある。ＵＥの一時識別子の割振りのために、後続の負荷再配置でのロードバランシングを容易にするために、ＡＭＦ５は、ＡＭＦルーティングテーブル内のＡＭＦ  ＩＤを使用して後続の負荷再配置を助けるように、同じ確率に基づいて「００１」および「０１１」をＡＭＦ  ＩＤとして選択する必要がある。
【００３９】
【表４】
2020504541.tif 000022
【００４０】
さらに、表３に示されるＡＭＦルーティングテーブルに基づいて、オペレータがネットワークをスケールアップするのと同時に、保守やアップグレードなどの運用のためにＡＭＦ１をシャットダウンする必要がある場合、ＡＭＦ１はまた、ＡＭＦ１によってサービスされるＵＥの、複数のＡＭＦへのハンドオーバをサポートする。例えば、その一時識別子がＡＭＦ  ＩＤ  ００１を含むＵＥがＡＭＦ５に移動され、その一時識別子がＡＭＦ  ＩＤ  ０００を含むＵＥがＡＭＦ２に移動される。次いで、ハンドオーバ後のＡＭＦルーティングテーブルが表５に示されている。
【００４１】
【表５】
2020504541.tif 000023
【００４２】
ＡＭＦが負荷再配置の間に、負荷再配置後に有効なＡＭＦルーティング情報をＲＡＮに送る、本願のこの実施形態で提供される解決策が、負荷再配置およびロードバランシングを実装するように、登録される（または既にＵＥの一時識別子を有する）ＵＥのＮＡＳメッセージを負荷再配置のためのターゲットＡＭＦに送るようにＲＡＮに命令することが意図されることに留意されたい。ＡＭＦルーティング情報を搬送するメッセージが、その負荷が再配置されるべきＡＭＦによって送られ得、またはＯ＆Ｍエンティティによって送られ得る。これは、本願のこの実施形態では限定されない。
【００４３】
ＡＭＦルーティングテーブルの概念および原理が、上記のテーブルおよび対応する説明を使用することによって明らかにされた。以下は、メッセージフローのダイアグラムを使用することによって、本願の実施形態で提供される負荷再配置方法を説明する。
【００４４】
図３ａは、ＡＭＦルーティングテーブルに基づくＡＭＦ負荷再配置のための方法のフローチャートである。ＡＭＦ１をシャットダウンもしくはスケールダウンする必要があるシナリオ、またはＡＭＦ２をスケールアップする必要があるシナリオでは、（表１および表２に示されるように）ＡＭＦ１に登録されたすべてのＵＥをＡＭＦ２にハンドオーバするために、または（表３および表４に示されるように）ＡＭＦ１に登録されたいくつかのＵＥを別のＡＭＦにハンドオーバするために、ＡＭＦ１について負荷再配置を実施する必要がある。図３ａでは、ＲＡＮが表１に示されるＡＭＦルーティングテーブルを記憶していると仮定すると、ＡＭＦ１をシャットダウンする必要があり、ＡＭＦ１は、ＡＭＦ２への負荷再配置を開始する。
【００４５】
３０１。ＡＭＦ１がシャットダウンされ、ネットワーク内の他のＡＭＦの負荷ステータスに基づいて、またはＯ＆Ｍエンティティの命令に従って、ＡＭＦ１に登録されている、またはＡＭＦ１によってサービスされるすべてのＵＥをＡＭＦ２にハンドオーバすることを決定する。
【００４６】
３０２。ＡＭＦ１は、ＡＭＦ１内に記憶されるすべてのＵＥのコンテキスト情報をＡＭＦ２に送り、さらに、ＡＭＦ１のＡＭＦ  ＩＤ（表２に示される「００」）を、後でＡＭＦ２の新しいＡＭＦ  ＩＤとして使用されるＡＭＦ２に送る必要がある。ＵＥのコンテキスト情報は、識別子（ＩＭＳＩまたは一時識別子など）、加入データ、認証などに関係する情報を含むセキュリティデータ、ＰＤＵセッション情報、ＳＭＦ情報、サービスポリシーなどのＵＥの情報を含む。ＡＭＦ１は、ＵＥのコンテキストをＡＭＦ２に送り、ＡＭＦ２がＵＥの接続性、セッションなどを正常に管理することを続けることができること、ならびにＡＭＦ変更がＵＥと５Ｇコアネットワークとの間の接続性およびサービスに影響を及ぼさないことを保証する。負荷再配置の後、ＡＭＦ２は、「００」および「０１」という２つのＡＭＦ  ＩＤを有する。後に、別のＵＥがＡＭＦ２に接続され、または登録されるとき、ＡＭＦ２はどちらかのＡＭＦ  ＩＤを選択して、ＵＥの一時識別子を割り振る。１つのメッセージを使用することによって、ＡＭＦ１がＡＭＦ２に移動されるＵＥのコンテキスト情報をＡＭＦ２に送り得、メッセージ内に過剰に大量の情報を含める必要があるとき、代替として、情報が転送のために複数のメッセージに分割され得ることに留意されたい。移動されるべきＵＥのコンテキスト情報が、１つまたは複数のデバイスレベルメッセージを使用することによって、２つのネットワーク要素またはデバイス、ＡＭＦ１およびＡＭＦ２の間で送信され、それぞれの移動されるべきＵＥに特有のメッセージを送ることを回避し、ＡＭＦ１とＡＭＦ２との間のシグナリングオーバヘッドを低減する。
【００４７】
３０３。ＡＭＦ１はＲＡＮにメッセージを送り、メッセージは少なくともＡＭＦルーティング情報を含む。ＡＭＦルーティング情報は、ＡＭＦルーティングテーブル内のＡＭＦ  ＩＤとＡＭＦアドレスとの間の対応をＲＡＮに更新させるように意図される。後に、ＵＥによって送られたアップリンクＮＡＳメッセージを受信するとき、ＲＡＮは、ＵＥの一時識別子内のＡＭＦ  ＩＤ情報に基づいて、更新されたＡＭＦルーティングテーブルを照会し、更新されたＡＭＦルーティングテーブル内で指定されるアドレスにＮＡＳメッセージを送る。ＡＭＦルーティング情報の特定のフォーマットは、本願のこの実施形態では限定されず、具体的には、表２に示される、完全な更新されたＡＭＦルーティングテーブルであり得る。しかしながら、シグナリングおよび送信オーバヘッドを考慮して、代替として、ＡＭＦルーティング情報は、表２のＡＭＦ１のルーティング情報およびＡＭＦ２のルーティング情報のみを含み得る。代替として、ＡＭＦルーティングテーブルの更新は、情報要素を使用して示され得る。例えば、情報要素は、負荷再配置のための元のＡＭＦのＡＭＦ  ＩＤ（００）と、負荷再配置のためのターゲットＡＭＦの任意の１つのＡＭＦ  ＩＤ（０１など）を搬送し、または負荷再配置のための元のＡＭＦのＡＭＦ  ＩＤ（００）と、ＲＡＮに関連する負荷再配置のためのターゲットＡＭＦのアドレス（ＲＡＮに関連するＡＭＦ２のアドレス）を搬送して、最新のＡＭＦルーティング情報をＲＡＮに示す。ＡＭＦ  ＩＤの長さが変化したとき、ＡＭＦ１はまた、元のＡＭＦの更新されたＡＭＦ  ＩＤをＲＡＮに送る必要がある。
【００４８】
ＲＡＮへのシグナリング接続を確立したＵＥについて、ＲＡＮはＵＥのコンテキストを記憶しており、ＲＡＮ内に記憶されたＵＥのコンテキストは、ＵＥの一時識別子から取られたＡＭＦ  ＩＤと、ＲＡＮに関連する、ＵＥに現在サービスしているＡＭＦのアドレスとを含むことに留意されたい。ＲＡＮが、ＵＥのコンテキスト内のＲＡＮに関連するＡＭＦのアドレスに基づいて、ＵＥのアップリンクメッセージをＡＭＦルーティングテーブル内で指定されるＡＭＦに転送できることを保証するために、ＡＭＦルーティング情報を受信するとき、ＲＡＮはさらに、ＡＭＦルーティング情報に基づいてＵＥのコンテキストをリフレッシュする必要がある。例えば、この実施形態では、ＲＡＮは、ＵＥのコンテキスト内のＡＭＦ  ＩＤが００である記録を探索し、記録内に記録されるＲＡＮに関連する、ＵＥに現在サービスしているＡＭＦのアドレスを、ＲＡＮに関連するＡＭＦ２のアドレスにリフレッシュし、またはＲＡＮに関連する、ＵＥに現在サービスしているＡＭＦのアドレスを無効値にリフレッシュし、次回にＵＥのアップリンクメッセージを受信するとき、ＡＭＦルーティングテーブルに照会して、ＲＡＮに関連するＡＭＦ２のアドレスを取得する必要がある。さらに、ＲＡＮを使用することによってＡＭＦ１への接続を確立しており、それについてのシグナリング手順が実施されているＵＥ、例えば位置更新手順またはアタッチ手順でのＵＥについて、これらのＵＥについての例外処理を実施するように、具体的にはＵＥのシグナリング手順が終了した後にＵＥのコンテキスト情報を更新するようにＲＡＮに命令するために、ＡＭＦ１は、３０３でのメッセージ内に、これらのＵＥの識別子、例えばＲＡＮによってＵＥに割り振られた一時識別子をさらに含み得る。それに対応して、ＵＥのシグナリング手順が終了した後、ＡＭＦ１がシャットダウンされる。
【００４９】
３０４。ＡＭＦ１は、移動されるべきＵＥのコンテキスト情報を削除し、シャットダウン動作を実施する。
【００５０】
３０５。ＵＥは、ＲＡＮにアップリンクＮＡＳメッセージを送る。あるケースでは、ＵＥは、ＮＡＳメッセージに一時識別子を追加しない（このメッセージを送る前に、ＵＥがＲＡＮへの接続を確立した場合）。別のケースでは、ＵＥは、ＮＡＳメッセージに一時識別子を追加する（このメッセージが、ＵＥがＲＡＮへの接続を確立するための最初のメッセージである場合）。
【００５１】
３０６。ＲＡＮは、ＵＥによって送られたアップリンクＮＡＳメッセージを受信し、またはＵＥに関係するアップリンクメッセージの送信をローカルにトリガし、ＲＡＮは以下の動作を実施する。
【００５２】
ＲＡＮがＵＥのコンテキスト情報を記憶しており（３０５でメッセージを送る前に、ＵＥがＲＡＮへの接続を確立している場合）、ＵＥのコンテキスト情報がＲＡＮに関連するＡＭＦのアドレスを含む場合、ＲＡＮは、ＲＡＮに関連するＡＭＦのアドレスに基づいて、対応するＡＭＦにメッセージを送る。
【００５３】
ＲＡＮがＵＥのコンテキスト情報を記憶しており、ＵＥのコンテキスト情報内のＲＡＮに関連するＡＭＦのアドレスが無効値である場合、ＲＡＮは、ＵＥのコンテキスト内に記録されたＡＭＦ  ＩＤ、またはＵＥの一時識別子から取られたＡＭＦ  ＩＤに基づいて、更新されたＡＭＦルーティングテーブルに照会し、ＲＡＮに関連するＡＭＦのアドレスを取得し、ＲＡＮに関連するＡＭＦのアドレスに対応するＡＭＦにメッセージを送る。
【００５４】
ＲＡＮがＵＥのコンテキスト情報を記憶していない場合、ＲＡＮは、ＵＥによって搬送される一時識別子内のＡＭＦ  ＩＤ＋ＵＥ  ＩＤと、更新されたＡＭＦルーティングテーブル内のＡＭＦ  ＩＤの長さ（ビットの量）とに基づいて、ＵＥの一時識別子からＡＭＦ  ＩＤを取り、更新されたＡＭＦルーティングテーブルに照会して、ＲＡＮに関連するＡＭＦのアドレスを取得し、ＲＡＮに関連するＡＭＦのアドレスに対応するＡＭＦにメッセージを送る。
【００５５】
ＲＡＮがＵＥのコンテキスト情報を記憶しておらず、ＵＥが５Ｇコアネットワークに初めて接続され、ＵＥによって送られたメッセージが一時識別子を含まない場合、ＲＡＮは、ローカルに構成された規則または別のロードバランシング規則に従うアクセスのために、ＵＥについてのＡＭＦを選択する。
【００５６】
本願のこの実施形態で提供される方法によれば、ＡＭＦがその負荷を再配置する必要があるとき、ＡＭＦは、デバイスレベルメッセージを使用することによって、ＡＭＦルーティングテーブルおよび関連するＵＥのコンテキスト情報を更新するようにＲＡＮに命令し、ＡＭＦは、各ＵＥについてＲＡＮに更新メッセージを送る必要がないということが知られることができる。これはシグナリングオーバヘッドを低減し、負荷再配置効率を改善する。ＲＡＮはまた、ＲＡＮにＵＥについてのＡＭＦを再選択させるために位置更新手順を開始するようにＵＥに命令する必要がない。これはエアインターフェースシグナリングを低減し、エアインターフェースリソースを節約する。ＲＡＮは、ＡＭＦ間のリダイレクションの必要なしに、ローカルに記憶されたＡＭＦルーティングテーブルを更新することによって、負荷再配置後にＵＥのコンテキストを記憶するＡＭＦを直接的に見つけることができる。さらに、ＲＡＮが行う必要があるのは、ＡＭＦ間のロードバランシングを保証するために、ＡＭＦルーティングテーブルに基づいてＵＥのメッセージを転送することだけである。これは、ＲＡＮによるメッセージ転送の複雑さを簡略化する。
【００５７】
Ｏ＆Ｍエンティティが負荷再配置手順に参加するとき、例えば、負荷再配置のための元のＡＭＦおよびターゲットＡＭＦと、その負荷が再配置されるべきＡＭＦ１のＡＭＦ  ＩＤとがＯ＆Ｍエンティティによって決定されるとき、代替として、図３ａで説明されるＡＭＦ１のいくつかの機能が、Ｏ＆Ｍエンティティによって実装され得ることに留意されたい。例えば、ステップ３０２では、Ｏ＆Ｍエンティティは、その負荷が再配置されるべきＡＭＦのＡＭＦ  ＩＤをＡＭＦ２に送り得、ステップ３０３では、Ｏ＆Ｍエンティティは、更新されたルーティング情報をＲＡＮに送り得る。特定の手順が図３ｂに示されている。
【００５８】
ステップ３０１ａ１では、Ｏ＆Ｍエンティティは、現ネットワーク内のＡＭＦの負荷ステータスに基づいて、ＡＭＦ１のすべての負荷をＡＭＦ２に再配置することを決定する。Ｏ＆Ｍエンティティは、ＡＭＦ１のＡＭＦ  ＩＤ（００）（ＡＭＦ１は現在ただ１つのＡＭＦ  ＩＤを有するので、ＡＭＦ  ＩＤはＡＭＦ１のすべての負荷を示す）と、ＡＭＦ１に関連するＡＭＦ２のアドレスまたはＡＭＦ２の識別子（例えば、０１）とをＡＭＦ１に送り、ＡＭＦ  ＩＤ（００）に対応するＵＥをＡＭＦ２にハンドオーバするようにＡＭＦ１に命令する。
【００５９】
任意選択で、ステップ３０１ａ２では、代替として、Ｏ＆Ｍエンティティは、ＡＭＦ１のＡＭＦ  ＩＤ（００）をＡＭＦ２に送るようにＡＭＦ１を置き換え得、その結果、ＡＭＦ２は、負荷再配置後にＡＭＦ  ＩＤ（００）を使用する。
【００６０】
ステップ３０３ａ３では、Ｏ＆Ｍエンティティは、ＲＡＮにＡＭＦルーティング情報を送る。ＡＭＦルーティング情報の特定の説明については、図３ａのステップ３０３での説明を参照されたい。
【００６１】
図３ｂのステップ３０１から３０６は、図３ａのステップ３０１から３０６と本質的に同じである。違いは、図３ｂでは、Ｏ＆Ｍエンティティがその負荷が再配置されるべきＡＭＦ１のＡＭＦ  ＩＤ（００）をＡＭＦ２に送ったので、ＡＭＦ１が行う必要があるのは、３０２でメッセージ内の移動されるべきＵＥのコンテキストを転送することだけであること、およびＯ＆Ｍエンティティはステップ３０３ａ３でＲＡＮにＡＭＦルーティング情報を送ったので、ＡＭＦ１はもはやＲＡＮにＡＭＦルーティング情報を送る必要がないことにある。
【００６２】
図３ａおよび図３ｂでは、ＵＥのコンテキスト情報は、ＡＭＦ１とＡＭＦ２との間で直接的に転送される。実際のネットワーク配置では、代替として以下の方式が使用され得る。まずＡＭＦ１が、データ記憶機能を有するデバイス内にＵＥのコンテキスト情報を記憶し、次いでＡＭＦ２が、データ記憶デバイスからＵＥのコンテキストを取得する。
【００６３】
図４は、ＵＤＳＦ（Ｕｎｓｔｒｕｃｔｕｒｅｄ  Ｄａｔａ  Ｓｔｏｒａｇｅ  Ｆｕｎｃｔｉｏｎ、非構造化データ記憶機能）を使用することによってＵＥのコンテキスト情報がＡＭＦ１とＡＭＦ２との間で転送される、負荷再配置のフローチャートである。図４で説明されるサービスシナリオ、およびシステムについての仮定は、図３ａで説明される実施形態と同じである。以下は、図４に示されるフローチャートと、図３ａに示されるフローチャートとの間の違いだけを説明する。図４と図３ａの同じ部分は、本明細書では再び説明されない。
【００６４】
４０１。３０１の説明を参照されたい。
【００６５】
４０２。ＡＭＦ１は、ＡＭＦ１によってサービスされるＵＥのコンテキスト情報を記憶のためにＵＤＳＦに送る。ＵＥのコンテキストの説明については、３０２を参照されたい。３０２とは異なり、図４では、運用および保守システム（例えば、Ｏ＆Ｍ）が、ＡＭＦ  ＩＤを更新するようにＡＭＦ２に命令し、更新の後、ＡＭＦ  ＩＤは０００および００１を含む。もちろん、代替として、ＡＭＦ１が、ＡＭＦ  ＩＤを更新するようにＡＭＦ２に命令し、具体的には、元のＡＭＦ１のＡＭＦ  ＩＤ（０００）をＡＭＦ２のＡＭＦ  ＩＤとして後に使用するようにＡＭＦ２に命令し得る。
【００６６】
４０３。ＡＭＦ１またはＯ＆Ｍが、ＲＡＮにＡＭＦルーティング情報を送る。ＡＭＦルーティング情報の詳細については、３０３での説明を参照されたい。さらに、ＡＭＦ１はさらに、ＵＥのコンテキストの更新情報をＲＡＮに送る必要がある。ＵＥのコンテキストの更新情報については、３０３での説明を参照されたい。
【００６７】
４０４。ＡＭＦ１が、移動されるべきＵＥのコンテキスト情報を削除し、シャットダウン動作を実施する。
【００６８】
４０５および４０６。３０５および３０６での説明を参照されたい。
【００６９】
４０７。ＡＭＦ２が、ＲＡＮによって送られたＵＥのアップリンクメッセージを受信し、ＵＥにサービスすることを続けるように、メッセージ内で搬送されたＵＥの一時識別子に基づいて、ＵＤＳＦからＵＥのコンテキストを読み取る。
【００７０】
図３ａおよび図４は、ＡＭＦの負荷が再配置されているとき、ＵＥのアップリンクメッセージの通常の処理を保証するためにＡＭＦルーティングテーブルが使用されるメッセージング手順を説明する。本願のこの実施形態で提供されるＡＭＦルーティングテーブルに基づく負荷配置のための解決策はまた、ＡＭＦの負荷が再配置された後、ＵＥのダウンリンクサービスまたはダウンリンクメッセージが影響を受けないことも保証できる。
【００７１】
図３ａのサービスシナリオおよび５Ｇコアネットワーク構成に基づいて、図５は、ＵＥに関係するダウンリンクメッセージを受信したとき、ＳＭＦが正しいＡＭＦを見つけることができるように、どのようにＡＭＦがＳＭＦ内のコンテキストを更新するかを説明する。図５は、ＡＭＦが負荷再配置のためにシャットダウンされる一例を使用する。しかしながら、この方法手順は、ＡＭＦアップスケーリングやＡＭＦダウンスケーリングなどの他のサービスシナリオでトリガされる負荷再配置にも適用可能である。
【００７２】
５０１。オペレータポリシーに従って、ＡＭＦ１をシャットダウンし、負荷再配置を実施することを決定する。
【００７３】
５０２。ＡＭＦ１は、システムプランニング（例えば、Ｏ＆Ｍの命令）に従って、その負荷をＡＭＦ２に再配置することを決定し、ＡＭＦ１は、ＵＥのコンテキスト情報をＡＭＦ２に転送する。詳細については、３０２での説明を参照されたい。
【００７４】
５０３。ＡＭＦ１は、ＲＡＮにＡＭＦルーティング情報を送る。詳細については、３０３での説明を参照されたい。
【００７５】
５０４。ＡＭＦ１は、ＳＭＦにルーティング更新メッセージを送り、更新メッセージは、少なくとも、ＵＥのＳＵＰＩ（Ｓｕｂｓｃｒｉｂｅｒ  Ｐｅｒｍａｎｅｎｔ  Ｉｄｅｎｔｉｔｙ、加入者永続識別）と、ＳＭＦに関連する、ＵＥが移動されるべきターゲットＡＭＦのアドレス（すなわち、ＳＭＦに関連するＡＭＦ２のアドレス）、またはＵＥのＳＵＰＩ（Ｓｕｂｓｃｒｉｂｅｒ  Ｐｅｒｍａｎｅｎｔ  Ｉｄｅｎｔｉｔｙ、加入者永続識別）と、ＡＭＦ２の識別子（ＳＭＦは、ＡＭＦ２の識別子に基づいて、ＳＭＦに関連するＡＭＦ２のアドレスを取得することができる）を含む。ＳＭＦはメッセージを受信し、ＳＵＰＩに基づいて、ＵＥの対応するコンテキスト情報を取り出し、ＵＥのコンテキスト情報内に保存されたＡＭＦのアドレスを更新し、後にＵＥのダウンリンクメッセージを受信するとき、ＡＭＦ２にメッセージを転送する。ＳＭＦ内に記憶されたＵＥのコンテキスト情報がＡＭＦ  ＩＤを含むとき、代替として、ルーティング更新メッセージは別の実装を有し得る。例えば、ＡＭＦ１は、元のＡＭＦ  ＩＤ（００）と、ＳＭＦに関連するターゲットＡＭＦのアドレス、または元のＡＭＦ  ＩＤ（００）と、ターゲットＡＭＦの識別子をＳＭＦに送り得る。メッセージを受信した後、ＳＭＦは、すべてのＵＥのコンテキストを走査して、コンテキスト内のＡＭＦ  ＩＤが「００」であるＵＥについて、ＵＥのコンテキスト内に保存される、ＳＭＦに関連するＡＭＦのアドレスを更新し得る。ＡＭＦ  ＩＤの長さが再配置後に変化するとき、ＡＭＦはさらに、元のＡＭＦ  ＩＤと、ＳＭＦに関連するターゲットＡＭＦのアドレス、またはターゲットＡＭＦの識別子とに加えて、更新されたＡＭＦ  ＩＤをＳＭＦに送る必要がある。表４に示されるシナリオでは、ＡＭＦ１がＡＭＦ  ＩＤが「００１」であるＵＥをＡＭＦ５にハンドオーバするとき、ＡＭＦは、元のＡＭＦ  ＩＤ（００）と、ＳＭＦに関連するＡＭＦ５のアドレス、またはＡＭＦ５の識別子と、更新されたＡＭＦ  ＩＤ（００１）とをＳＭＦに送る必要がある。ＵＥの異なるコンテキスト情報が、異なるデバイスまたはネットワーク要素内に記憶されることに留意されたい。ＲＡＮ内に記憶されたＵＥのコンテキストは、ＳＭＦ内に記憶されたＵＥのコンテキストとは異なる。さらに、５０３でのメッセージおよび５０４でのメッセージは、特定の順序で送られるわけではない。
【００７６】
５０５。ＡＭＦ１がシャットダウンされる。
【００７７】
５０６および５０７。ＳＭＦがＵＥのダウンリンクメッセージを受信し、ＳＵＰＩに基づいて照会を実施してＡＭＦアドレスを取得し、メッセージをＡＭＦ２に送る。
【００７８】
図５に示される方法によれば、ＡＭＦがＵＥをターゲットＡＭＦにハンドオーバすることを決定した後、ＡＭＦはＳＭＦにメッセージを送り、ＳＭＦ−ＡＭＦルーティング情報を更新する。後に、ダウンリンクトリガを受信したとき、ＳＭＦは、ＵＥの更新されたコンテキストに基づいて、ＵＥが移動された、対応するＡＭＦを見つけることができ、それによって、メッセージリダイレクションを回避する。さらに、この実施形態では、ＡＭＦによってＳＭＦに送られるメッセージは、ネットワーク要素レベルメッセージであり、ＳＭＦのすべてのＵＥのコンテキストが一度に更新され、それによって、メッセージの量を低減し、シグナリングオーバヘッドを低減する。
【００７９】
上記は主に、様々なネットワーク要素間の対話に関連して、本願の実施形態で提供される解決策を説明する。上記の機能を実装するために、ネットワーク要素、例えばＵＥ、基地局、およびコアネットワークエンティティがすべて、機能を実施するための対応するソフトウェア構造および／またはソフトウェアモジュールを含むことを理解することができる。本明細書で開示される実施形態を参照しながら説明される例でのユニットおよびアルゴリズムステップが、ハードウェア、またはハードウェアとコンピュータソフトウェアの組合せによって実装され得ることを当業者は容易に気付くはずである。機能がハードウェアによって実施されるか、それともコンピュータソフトウェアによって駆動されるハードウェアによって実施されるかは、技術的解決策の特定の適用分野および設計制約に依存する。当業者は、それぞれの特定の適用分野について記載の機能を実装するために異なる方法を使用し得るが、実装が本願の範囲を越えると見なされるべきではない。
【００８０】
図６に示されるように、上記の方法実施形態でのデバイス、ネットワーク要素、またはＲＡＮ、ＡＭＦ、ＳＭＦ、Ｏ＆Ｍなどのエンティティはすべて、図６のコンピュータデバイス（またはシステム）によって実装され得る。
【００８１】
図６は、本願の一実施形態によるコンピュータデバイスの概略図である。コンピュータデバイス６００は、少なくとも１つのプロセッサ６０１、通信バス６０２、メモリ６０３、および少なくとも１つの通信インターフェース６０４を含む。
【００８２】
プロセッサ６０１は、本願の解決策でのプログラムの実行を制御するための汎用中央演算処理装置（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎーｓｐｅｃｉｆｉｃ  ｉｎｔｅｇｒａｔｅｄ  ｃｉｒｃｕｉｔ、ＡＳＩＣ）、あるいは１つまたは複数の集積回路であり得る。
【００８３】
通信バス６０２は、上記の構成要素間で情報を転送するための経路を含み得る。
【００８４】
通信インターフェース６０４は、受信機などの任意の装置を使用することによって、別のデバイス、またはイーサネット、無線アクセスネットワーク（ｒａｄｉｏ  ａｃｃｅｓｓ  ｎｅｔｗｏｒｋ、ＲＡＮ）、ワイヤレスローカルエリアネットワーク（ｗｉｒｅｌｅｓｓ  ｌｏｃａｌ  ａｒｅａ  ｎｅｔｗｏｒｋ、ＷＬＡＮ）などの通信ネットワークと通信するように構成される。
【００８５】
メモリ６０３は、限定はされないが、読取り専用メモリ（ｒｅａｄ−ｏｎｌｙ  ｍｅｍｏｒｙ、ＲＯＭ）もしくは静的情報および命令を記憶することのできる他のタイプの静的記憶デバイス、またはランダムアクセスメモリ（ｒａｎｄｏｍ  ａｃｃｅｓｓ  ｍｅｍｏｒｙ、ＲＡＭ）もしくは情報および命令を記憶することのできる他のタイプの動的記憶デバイスであり得、あるいは電気消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）もしくは他の光ディスクストレージ、光ディスクストレージ（コンパクトディスク、レーザディスク、光ディスク、デジタルバーサタイルディスク、Ｂｌｕｅ−ｒａｙディスクなど）、磁気ディスク記憶媒体もしくは他の磁気記憶デバイス、または命令もしくはデータ構造の形態の予想されるプログラムコードを搬送または記憶するのに使用することができ、コンピュータによってアクセスすることができる任意の他の媒体であり得る。メモリは独立して存在し得、バスを使用してプロセッサに接続される。代替として、メモリはプロセッサと統合され得る。
【００８６】
メモリ６０３は、本願の解決策を実行するためのアプリケーションプログラムコードを記憶するように構成され、プロセッサ６０１は実行を制御する。プロセッサ６０１は、特許方法での機能を実装するように、メモリ６０３内に記憶されたアプリケーションプログラムコードを実行するように構成される。
【００８７】
特定の実装では、一実施形態では、プロセッサ６０１は、１つまたは複数のＣＰＵ、例えば図６のＣＰＵ０およびＣＰＵ１を含み得る。
【００８８】
特定の実装では、一実施形態では、コンピュータデバイス６００は、複数のプロセッサ、例えば図６のプロセッサ６０１およびプロセッサ６０８を含み得る。これらのプロセッサのそれぞれは、シングルコア（シングルＣＰＵ）プロセッサであり得、またはマルチコア（マルチＣＰＵ）プロセッサであり得る。本明細書のプロセッサは、データ（例えば、コンピュータプログラム命令）を処理するための１つまたは複数のデバイス、回路、および／または処理コアであり得る。
【００８９】
特定の実装では、一実施形態では、コンピュータデバイス６００は、出力デバイス６０５および入力デバイス６０６をさらに含み得る。出力デバイス６０５は、プロセッサ６０１と通信し、複数の方式で情報を表示し得る。例えば、出力デバイス６０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、またはプロジェクタ（ｐｒｏｊｅｃｔｏｒ）であり得る。入力デバイス６０６はプロセッサ６０１と通信し、複数の方式でユーザ入力を受信し得る。例えば、入力デバイス６０６は、マウス、キーボード、タッチスクリーンデバイス、またはセンサデバイスであり得る。
【００９０】
コンピュータデバイス６００は汎用コンピュータデバイスまたは専用コンピュータデバイスであり得る。特定の実装では、コンピュータデバイス６００は、デスクトップコンピュータ、ポータブルコンピュータ、ネットワークサーバ、携帯情報端末（ｐｅｒｓｏｎａｌ  ｄｉｇｉｔａｌ  ａｓｓｉｓｔａｎｔ、ＰＤＡ）、携帯電話、タブレットコンピュータ、ワイヤレス端末デバイス、通信デバイス、組込みデバイス、または図６のデバイスと同様の構造を有するデバイスであり得る。コンピュータデバイス６００のタイプは、本願のこの実施形態では限定されない。
【００９１】
例えば、本発明の実施形態でのＲＡＮは、図６に示されるデバイスであり得る。ＲＡＮのメモリは、本発明の実施形態での方法を実施することのできるソフトウェアコードを記憶する。ＲＡＮのプロセッサは、メモリ内に記憶されたアプリケーションプログラムコードを実行し、特許方法でのＲＡＮの機能を実装する。
【００９２】
本願の実施形態では、ＲＡＮおよびアクセス管理エンティティは機能モジュールに分割され得る。例えば、各機能モジュールは１つの機能に対応し得、または２つ以上の機能が１つのモジュールに統合される。統合されたモジュールはハードウェアの形態で実装され得、またはソフトウェア機能モジュールの形態で実装され得る。本願の実施形態でのモジュール分割は一例であり、論理的機能分割に過ぎず、実際の実装では他の分割であり得ることに留意されたい。
【００９３】
図７は、上記の実施形態でのＲＡＮの可能な機能モジュールの概略図である。デバイス７００は、ＵＥトランシーバモジュール７０１、ネットワークトランシーバモジュール７０２、処理モジュール７０３、および記憶モジュール７０４を含む。ＵＥトランシーバモジュール７０１は、ＵＥと通信し、ＵＥにダウンリンクメッセージを送り、またはＵＥによって送られたアップリンクメッセージを受信するように構成される。ネットワークトランシーバモジュール７０２は、５Ｇコアネットワーク内のネットワーク要素またはデバイスと通信し、ＡＭＦまたはＯ＆Ｍによって送られたメッセージを受信し、あるいはＡＭＦまたはＯ＆Ｍにメッセージを送るように構成される。処理モジュール７０３は、７０１または７０２によって受信されたメッセージを処理し、あるいはＵＥまたは５Ｇコアネットワークに送られるべきメッセージを生成するように構成され、７０１または７０２を使用することによってメッセージが送られる。さらに、メッセージ処理で取得された情報、例えば本願の実施形態でのＡＭＦルーティングテーブルまたはＵＥのコンテキスト情報が、記憶モジュール７０４内に記憶される。記憶モジュール７０４は、処理モジュール７０３による処理または解析後に得られた情報を記憶し、処理モジュール７０３が情報照会を実施するためのインターフェースを提供するように構成される。例えば、ＲＡＮがＵＥのアップリンクメッセージを受信したとき、処理モジュール７０３は、記憶モジュール７０４内のＡＭＦルーティングテーブルまたはＵＥのコンテキスト情報を照会し、ＲＡＮに関連するＡＭＦのアドレスを決定する。
【００９４】
機能モジュールは、ハードウェアの形態で実装され得、またはソフトウェア機能モジュールの形態で実装され得る。単純な実施形態では、図６に示される形態がＲＡＮ７００のために使用され得ることを当業者は理解し得る。例えば、図７の処理モジュール７０３は、図６のプロセッサ６０１によってメモリ６０３内のコードを起動することによって実装され得る。これは、本願のこの実施形態では限定されない。
【００９５】
図８は、受信機８０１、プロセッサ８０２、メモリ８０３、および通信モジュール８０４を含む、上記の実施形態でのＲＡＮの可能な概略構造図である。受信機８０１は、上記の実施形態でのＵＥへの／からの情報の送信／受信をサポートするように構成される。プロセッサ８０２は、ＵＥと通信するための様々な機能を実施する。アップリンク上で、ＵＥからのアップリンク信号がアンテナによって受信され、受信機８０１によって復調され、ＵＥによって送られたサービスデータおよびシグナリング情報を回復するためにプロセッサ８０２によってさらに処理される。ダウンリンク上で、サービスデータおよびシグナリングメッセージがプロセッサ８０２によって処理され、送信機８０１によって復調され、ダウンリンク信号が生成され、ダウンリンク信号がアンテナによってＵＥに送信される。プロセッサ８０２はまた、図３ａから図５のＲＡＮに関係する処理および／または本願で説明される技術のために使用される他の処理を実施する。メモリ８０３は、基地局のプログラムコードおよびデータ（例えば、ＡＭＦルーティング情報およびＵＥのコンテキスト情報）を記憶するように構成される。通信モジュール８０４は、他のネットワークエンティティと通信する際に、ＲＡＮをサポートするように構成され、例えば、図１に示されるアクセス管理エンティティ、例えば５Ｇコアネットワーク内のＡＭＦと通信する際にＲＡＮをサポートするように構成される。
【００９６】
図９は、上記の実施形態での通信ネットワークエンティティ、例えば元のアクセス管理エンティティまたは運用および保守エンティティの可能な機能モジュールの概略図である。通信ネットワークエンティティ９００は通信モジュール９０１および決定モジュール９０２を含む。通信モジュール９０１は、外部エンティティ、例えばＲＡＮおよびターゲットアクセス管理エンティティと通信するように構成される。決定モジュール９０２は、負荷再配置のためのターゲットアクセス管理エンティティを決定し、通信モジュールを使用することによって、元のアクセス管理エンティティの識別子とＲＡＮに関連するターゲットアクセス管理エンティティのアドレスとの間の対応をＲＡＮに送るように構成され、その結果、ＲＡＮは、ＵＥのメッセージ内で搬送される元のアクセス管理エンティティの識別子に基づいて、またはＲＡＮ内に記憶されるＵＥに現在サービスしている元のアクセス管理エンティティの識別子に基づいて、ＲＡＮに関連するターゲットアクセス管理エンティティのアドレスに、ＵＥからのメッセージを送る。決定モジュール９０２は、再配置のための元のアクセス管理エンティティの識別子を決定し、通信モジュール９０１を使用することによってターゲットアクセス管理エンティティに識別子を送るようにさらに構成され、その結果、ターゲットアクセス管理エンティティは、負荷再配置後に元のアクセス管理エンティティの識別子をターゲットアクセス管理エンティティの識別子として使用する。通信ネットワークエンティティ９００が元のアクセス管理エンティティであるとき、決定モジュール９０２は、移動されるべきＵＥのコンテキストを決定し、通信モジュール９０１を使用することによって、ターゲットアクセス管理エンティティまたはデータ記憶機能エンティティに、移動されるべきＵＥのコンテキストを送るようにさらに構成される。さらに、通信モジュール９０１は、ＵＥに現在サービスしているセッション管理エンティティと通信するようにさらに構成される。決定モジュール９０２は、元のアクセス管理エンティティの識別子とセッション管理エンティティに関連するターゲットアクセス管理エンティティのアドレスとの間の対応を決定し、通信モジュール９０１を使用することによってセッション管理エンティティに対応を送るようにさらに構成される。通信ネットワークエンティティ９００が運用および保守エンティティであるとき、通信モジュール９０１はさらに、元のアクセス管理エンティティと通信し、再配置のための元のアクセス管理エンティティの識別子と、元のアクセス管理エンティティに関連するターゲットアクセス管理エンティティのアドレスとを元のアクセス管理エンティティに送る必要がある。元のアクセス管理エンティティの識別子は、移動されるべきＵＥを決定するために元のアクセス管理エンティティによって使用される。元のアクセス管理エンティティに関連するターゲットアクセス管理エンティティのアドレスは、元のアクセス管理エンティティが、移動されるべきＵＥのコンテキストをターゲットアクセス管理エンティティに送る助けとなる。
【００９７】
機能モジュールは、ハードウェアの形態で実装され得、またはソフトウェア機能モジュールの形態で実装され得る。単純な実施形態では、図６に示される形態が通信ネットワークエンティティ９００のために使用され得ることを当業者は理解し得る。例えば、図９の決定モジュール９０２は、図６のプロセッサ６０１によってメモリ６０３内のコードを起動することによって実装され得る。これは、本願のこの実施形態では限定されない。
【００９８】
上記の実施形態のすべてまたは一部は、ソフトウェア、ハードウェア、ファームウェア、またはそれらの任意の組合せを使用することによって実装され得る。ソフトウェアが実施形態を実装するのに使用されるとき、実施形態は、完全に、または部分的に、コンピュータプログラム製品の形態で実装され得る。コンピュータプログラム製品は１つまたは複数のコンピュータ命令を含む。コンピュータプログラム命令がロードされ、コンピュータ上で実行されるとき、本願の実施形態による手順または機能が、すべて、または部分的に生成される。コンピュータは、汎用コンピュータ、専用コンピュータ、コンピュータネットワーク、または他のプログラム可能装置であり得る。コンピュータ命令は、コンピュータ可読記憶媒体内に記憶され得、またはコンピュータ可読記憶媒体から別のコンピュータ可読記憶媒体に送信され得る。例えば、コンピュータ命令は、ワイヤード（例えば、同軸ケーブル、光ファイバ、またはデジタル加入者線（ＤＳＬ）通じて）またはワイヤレス（例えば、赤外線、無線、またはマイクロ波を通じて）な方式で、ウェブサイト、コンピュータ、サーバ、またはデータセンタから別のウェブサイト、コンピュータ、サーバ、またはデータセンタに送信され得る。コンピュータ可読記憶媒体は、コンピュータによってアクセス可能な任意の使用可能な媒体、または１つまたは複数の使用可能な媒体を統合する、サーバやデータセンタなどのデータ記憶デバイスであり得る。使用可能な媒体は、磁気媒体（例えば、フロッピィディスク、ハードディスク、または磁気テープ）、光媒体（例えば、ＤＶＤ）、半導体媒体（例えば、Ｓｏｌｉｄ  Ｓｔａｔｅ  Ｄｉｓｋ（ＳＳＤ））などであり得る。
【００９９】
本願の目的、技術的解決策、および利点は、上記の特定の実施形態で詳細にさらに説明される。上記の説明は本願の特定の実装に過ぎず、本願の保護範囲を限定することは意図されないことを当業者は理解されたい。本願の技術的解決策に基づいて行われる任意の修正、等価な置換、または改善は、本願の保護範囲内に包含されるものとする。特許請求の範囲では、「備える、含む（ｃｏｍｐｒｉｓｉｎｇ）」という語は他の構成要素またはステップを除外するものではなく、「ａ」または「１つ（ｏｎｅ）」は複数を除外するものではない。単一のプロセッサまたは他のユニットが、特許請求の範囲で列挙されるいくつかの機能を実装し得る。互いに異なるいくつかの方策が従属請求項に記述されるが、これは、これらの方策が良好な効果を生み出すように組み合わされることができないことを意味するものではない。
【国際調査報告】
2020504541.tif 000024
2020504541.tif 000025
2020504541.tif 000026
2020504541.tif 000027